(57)【要約】【課題】  編集および再生動作を高速に行う。【解決手段】  記録装置１００は、ビデオデータ１０１とオーディオデータ１０２とを受け取りビデオデータファイル１１１とオーディオデータファイル１１２とを生成するファイル生成部１１０と、ビデオデータファイル１１１とオーディオデータファイル１１２とを複数のビデオデータエレメントＶＥ１〜ｍ（ｍは整数）と複数のオーディオデータエレメントＡＥ１〜ｍとに分割する分割部１２０と、互いに関連するビデオデータエレメントとオーディオデータエレメントとを所定の記録単位に含まれて記録されるように配列した配列データ１３１を生成する配列部１３０と、配列データ１３１を情報記録媒体１５０に記録する記録部１４０とを備える。【選択図】  図１
2006187011.tif 000002
【特許請求の範囲】
【請求項１】
映像を示す複数のビデオユニットデータを含むビデオデータと、前記ビデオデータに関連するオーディオデータとを受け取り、前記複数のビデオユニットデータそれぞれに前記複数のビデオユニットデータを互いに識別するためのビデオ固有データを付与したビデオデータファイルを生成するとともに、前記オーディオデータに前記オーディオデータを識別するためのオーディオ固有データを付与したオーディオデータファイルを生成するファイル生成部と、
前記ビデオデータファイルと前記オーディオデータファイルとを受け取り、前記ビデオデータファイルを複数のビデオデータエレメントに分割するとともに、前記オーディオデータファイルを前記複数のビデオデータエレメントそれぞれに関連する複数のオーディオデータエレメントに分割する分割部であって、前記複数のビデオデータエレメントのうちのｉ（ｉは整数）番目のビデオデータエレメントは前記複数のビデオユニットデータのうちの所定数のビデオユニットデータを含む、分割部と、
前記複数のオーディオデータエレメントのうちの前記ｉ番目のビデオデータエレメントに関連するｉ番目のオーディオデータエレメントと、前記ｉ番目のビデオデータエレメントとが所定の記録単位に含まれて記録されるように、前記ｉ番目のビデオデータエレメントと前記ｉ番目のオーディオデータエレメントとを配列する配列部と、
前記配列されたｉ番目のビデオデータエレメントとｉ番目のオーディオデータエレメントとを情報記録媒体に記録する記録部と
を備える、記録装置。
【請求項２】
前記複数のビデオユニットデータのうちのＩ（Ｉは整数）番目のビデオユニットデータを識別するための、前記ビデオ固有データのうちのＩ番目のビデオ固有データは、前記Ｉ番目のビデオユニットデータに付与されており、
前記ファイル生成部は、前記Ｉ番目のビデオユニットデータに充填データと前記充填データを識別するための充填データ固有データとを付与し、
前記Ｉ番目のビデオユニットデータと前記Ｉ番目のビデオ固有データと前記充填データと充填データ固有データとを足したデータサイズは、前記情報記録媒体のセクタ単位の整数倍のサイズと等しい、請求項１に記載の記録装置。
【請求項３】
前記情報記録媒体にはヘッダ領域が設けられており、
前記配列部は、前記オーディオ固有データが前記ヘッダ領域に記録されるように、前記オーディオ固有データを前記記録部に出力する、請求項１に記載の記録装置。
【請求項４】
前記ファイル生成部は、前記ビデオデータおよびオーディオデータに関連するメタデータをさらに受け取り、前記メタデータに前記メタデータを識別するためのメタデータ固有データを付与したメタデータファイルをさらに生成し、
前記分割部は、前記メタデータファイルを前記複数のビデオデータエレメントそれぞれに関連する複数のメタデータエレメントに分割し、
前記配列部は、前記複数のメタデータエレメントのうちの前記ｉ番目のビデオデータエレメントに関連するｉ番目のメタデータエレメントと前記ｉ番目のオーディオデータエレメントとを、前記所定の記録単位内において前記ｉ番目のビデオデータエレメントよりも前に配列する、請求項１に記載の記録装置。
【請求項５】
前記ファイル生成部は、前記ビデオデータの圧縮率より高い圧縮率で圧縮された圧縮ビデオデータを含む補助データをさらに受け取り、前記補助データに前記補助データを識別するための補助データ固有データを付与した補助データファイルをさらに生成し、
前記分割部は、前記補助データファイルを前記複数のビデオデータエレメントそれぞれに関連する複数の補助データエレメントに分割し、
前記配列部は、前記複数の補助データエレメントのうちの前記ｉ番目のビデオデータエレメントに関連するｉ番目の補助データエレメントと前記ｉ番目のメタデータエレメントとを、前記所定の記録単位内において隣接させて配列する、請求項４に記載の記録装置。
【請求項６】
前記ｉ番目の補助データエレメントは、前記ビデオユニットデータの圧縮率より高い圧縮率で圧縮された圧縮オーディオデータをさらに含む、請求項５に記載の記録装置。
【請求項７】
前記配列部は、前記ｉ番目の補助データエレメントを前記ｉ番目のビデオデータエレメントよりも前に配列する、請求項５に記載の記録装置。
【請求項８】
前記配列部は、前記補助データエレメントを、前記メタデータエレメント、前記オーディオデータエレメントおよび前記ビデオデータエレメントよりも前に配列する、請求項５に記載の記録装置。
【請求項９】
前記ファイル生成部は、前記ビデオデータの圧縮率より高い圧縮率で圧縮された圧縮ビデオデータを含む補助データをさらに受け取り、前記補助データに前記補助データを識別するための補助データ固有データを付与した補助データファイルをさらに生成し、
前記分割部は、前記補助データファイルを前記複数のビデオデータエレメントそれぞれに関連する複数の補助データエレメントに分割し、
前記複数の補助データエレメントのうちのｉ番目の補助データエレメントは前記ｉ番目のビデオデータエレメントと関連しており、
前記分割部は、前記ビデオデータファイルのうちの前記ｉ番目の補助データエレメントの先頭に対応する位置を特定し、
前記分割部は、前記特定された位置より前の位置であって、前記特定された位置から前記情報記録媒体のＥＣＣブロック単位の整数倍のデータサイズ分離れた位置が、前記ｉ番目のビデオデータエレメントの先頭となるように、前記ビデオデータファイルを分割する、請求項１に記載の記録装置。
【請求項１０】
前記ファイル生成部は、前記ビデオデータおよびオーディオデータに関連するメタデータをさらに受け取り、前記メタデータに前記メタデータを識別するためのメタデータ固有データを付与したメタデータファイルをさらに生成し、
前記分割部は、前記メタデータファイルを前記複数のビデオデータエレメントそれぞれに関連する複数のメタデータエレメントに分割し、
前記複数のメタデータエレメントのうちのｉ番目のメタデータエレメントは前記ｉ番目のビデオデータエレメントと関連しており、
前記分割部は、前記メタデータファイルのうちの前記ｉ番目のビデオデータエレメントの先頭に対応する位置を特定し、
前記分割部は、前記特定された位置より後ろの位置であって、前記特定された位置から前記情報記録媒体のＥＣＣブロック単位の整数倍のデータサイズ分離れた位置が、前記ｉ番目のメタデータエレメントの先頭となるように、前記メタデータファイルを分割する、請求項１に記載の記録装置。
【請求項１１】
前記分割部は、前記オーディオデータファイルのうちの前記ｉ番目のビデオデータエレメントの先頭に対応する位置を特定し、
前記分割部は、前記特定された位置より後ろの位置であって、前記特定された位置から前記情報記録媒体のＥＣＣブロック単位の整数倍のデータサイズ分離れた位置が、前記ｉ番目のオーディオデータエレメントの先頭となるように、前記オーディオデータファイルを分割する、請求項１に記載の記録装置。
【請求項１２】
前記配列部は、前記情報記録媒体に欠陥領域が存在した場合に、前記欠陥領域に応じて所定のデータを再配置するために用いられる再配置領域を形成するための再配置データを前記所定の記録単位に含まれて記録されるように、前記ｉ番目のビデオデータエレメントと前記ｉ番目のオーディオデータエレメントとともに配列する、請求項１に記載の記録装置。
【請求項１３】
前記配列部は、前記情報記録媒体に欠陥領域が存在した場合に、前記欠陥領域に応じて所定のデータをシフトするために用いられるシフト領域を形成するためのシフトデータを前記所定の記録単位に含まれて記録されるように、前記ｉ番目のビデオデータエレメントと前記ｉ番目のオーディオデータエレメントとともに配列する、請求項１に記載の記録装置。
【請求項１４】
映像を示すビデオユニットデータと、
前記ビデオユニットデータを識別するためのビデオ固有データと、
前記ビデオユニットデータに付与される充填データと、
前記充填データを識別するための充填データ固有データと
を含む情報記録媒体であって、
前記ビデオユニットデータと前記ビデオ固有データと前記充填データと充填データ固有データとを足したデータサイズは、前記情報記録媒体のセクタ単位の整数倍のサイズと等しい、情報記録媒体。
【請求項１５】
映像を示す複数のビデオユニットデータを含むビデオデータファイルを分割した複数のビデオデータエレメントと、
前記複数のビデオユニットデータの圧縮率より高い圧縮率で圧縮された圧縮ビデオデータをそれぞれ含む複数の補助データエレメントであって、前記複数のビデオデータエレメントそれぞれに関連する複数の補助データエレメントと
を含み、
前記複数のビデオデータエレメントのうちのｉ（ｉは整数）番目のビデオデータエレメントと、前記複数の補助データエレメントのうちのｉ番目の補助データエレメントとは関連しており、
前記ビデオデータファイルのうちの前記ｉ番目の補助データエレメントの先頭に対応する所定の位置よりも前の位置であって、前記所定の位置から情報記録媒体のＥＣＣブロック単位の整数倍のデータサイズ分離れた位置が、前記ｉ番目のビデオデータエレメントの先頭である、情報記録媒体。
【請求項１６】
ビデオデータを含む複数のビデオデータエレメントと、
前記ビデオデータに関連するメタデータを含むメタデータファイルを分割した複数のメタデータエレメントと
を含み、
前記複数のビデオデータエレメントのうちのｉ（ｉは整数）番目のビデオデータエレメントと、前記複数のメタデータエレメントのうちのｉ番目のメタデータエレメントとは関連しており、
前記メタデータファイルのうちの前記ｉ番目のビデオデータエレメントの先頭に対応する所定の位置よりも後ろの位置であって、前記所定の位置から情報記録媒体のＥＣＣブロック単位の整数倍のデータサイズ分離れた位置が、前記ｉ番目のメタデータエレメントの先頭である、情報記録媒体。
【請求項１７】
ビデオデータを含む複数のビデオデータエレメントと、
前記ビデオデータに関連するオーディオデータを含むオーディオデータファイルを分割した複数のオーディオデータエレメントと
を含み、
前記複数のビデオデータエレメントのうちのｉ（ｉは整数）番目のビデオデータエレメントと、前記複数のオーディオデータエレメントのうちのｉ番目のオーディオデータエレメントとは関連しており、
前記オーディオデータファイルのうちの前記ｉ番目のビデオデータエレメントの先頭に対応する所定の位置よりも後ろの位置であって、前記所定の位置から情報記録媒体のＥＣＣブロック単位の整数倍のデータサイズ分離れた位置が、前記ｉ番目のオーディオデータエレメントの先頭である、情報記録媒体。
【請求項１８】
映像を示す複数のビデオユニットデータを含むビデオデータと、前記ビデオデータに関連するオーディオデータとを受け取り、前記複数のビデオユニットデータそれぞれに前記複数のビデオユニットデータを互いに識別するためのビデオ固有データを付与したビデオデータファイルを生成するとともに、前記オーディオデータに前記オーディオデータを識別するためのオーディオ固有データを付与したオーディオデータファイルを生成する工程と、
前記ビデオデータファイルと前記オーディオデータファイルとを受け取り、前記ビデオデータファイルを複数のビデオデータエレメントに分割するとともに、前記オーディオデータファイルを前記複数のビデオデータエレメントそれぞれに関連する複数のオーディオデータエレメントに分割する工程であって、前記複数のビデオデータエレメントのうちのｉ（ｉは整数）番目のビデオデータエレメントは前記複数のビデオユニットデータのうちの所定数のビデオユニットデータを含む、工程と、
前記複数のオーディオデータエレメントのうちの前記ｉ番目のビデオデータエレメントに関連するｉ番目のオーディオデータエレメントと、前記ｉ番目のビデオデータエレメントとが所定の記録単位に含まれて記録されるように、前記ｉ番目のビデオデータエレメントと前記ｉ番目のオーディオデータエレメントとを配列する工程と、
前記配列されたｉ番目のビデオデータエレメントとｉ番目のオーディオデータエレメントとを情報記録媒体に記録する工程と
を包含する、記録方法。
【請求項１９】
前記複数のビデオユニットデータのうちのＩ（Ｉは整数）番目のビデオユニットデータを識別するための、前記ビデオ固有データのうちのＩ番目のビデオ固有データは、前記Ｉ番目のビデオユニットデータに付与されており、
前記ファイルを生成する工程は、前記Ｉ番目のビデオユニットデータに充填データと前記充填データを識別するための充填データ固有データとを付与する工程を含み、
前記Ｉ番目のビデオユニットデータと前記Ｉ番目のビデオ固有データと前記充填データと充填データ固有データとを足したデータサイズは、前記情報記録媒体のセクタ単位の整数倍のサイズと等しい、請求項１８に記載の記録方法。
【請求項２０】
前記情報記録媒体にはヘッダ領域が設けられており、
前記配列する工程は、前記オーディオ固有データが前記ヘッダ領域に記録されるように、前記オーディオ固有データを出力する工程を含む、請求項１８に記載の記録方法。
【請求項２１】
前記ファイルを生成する工程は、前記ビデオデータおよびオーディオデータに関連するメタデータをさらに受け取り、前記メタデータに前記メタデータを識別するためのメタデータ固有データを付与したメタデータファイルをさらに生成する工程を含み、
前記分割する工程は、前記メタデータファイルを前記複数のビデオデータエレメントそれぞれに関連する複数のメタデータエレメントに分割する工程を含み、
前記配列する工程は、前記複数のメタデータエレメントのうちの前記ｉ番目のビデオデータエレメントに関連するｉ番目のメタデータエレメントと前記ｉ番目のオーディオデータエレメントとを、前記所定の記録単位内において前記ｉ番目のビデオデータエレメントよりも前に配列する工程を含む、請求項１８に記載の記録方法。
【請求項２２】
前記ファイルを生成する工程は、前記ビデオデータの圧縮率より高い圧縮率で圧縮された圧縮ビデオデータを含む補助データをさらに受け取り、前記補助データに前記補助データを識別するための補助データ固有データを付与した補助データファイルを生成する工程を含み、
前記分割する工程は、前記補助データファイルを前記複数のビデオデータエレメントそれぞれに関連する複数の補助データエレメントに分割する工程を含み、
前記配列する工程は、前記複数の補助データエレメントのうちの前記ｉ番目のビデオデータエレメントに関連するｉ番目の補助データエレメントと前記ｉ番目のメタデータエレメントとを、前記所定の記録単位内において隣接させて配列する工程を含む、請求項２１に記載の記録方法。
【請求項２３】
前記ｉ番目の補助データエレメントは、前記ビデオユニットデータの圧縮率より高い圧縮率で圧縮された圧縮オーディオデータをさらに含む、請求項２２に記載の記録方法。
【請求項２４】
前記配列する工程は、前記ｉ番目の補助データエレメントを前記ｉ番目のビデオデータエレメントよりも前に配列する工程を含む、請求項２２に記載の記録方法。
【請求項２５】
前記配列する工程は、前記補助データエレメントを、前記メタデータエレメント、前記オーディオデータエレメントおよび前記ビデオデータエレメントよりも前に配列する工程を含む、請求項２２に記載の記録方法。
【請求項２６】
前記ファイルを生成する工程は、前記ビデオデータの圧縮率より高い圧縮率で圧縮された圧縮ビデオデータを含む補助データをさらに受け取り、前記補助データに前記補助データを識別するための補助データ固有データを付与した補助データファイルをさらに生成する工程を含み、
前記分割する工程は、前記補助データファイルを前記複数のビデオデータエレメントそれぞれに関連する複数の補助データエレメントに分割する工程を含み、
前記複数の補助データエレメントのうちのｉ番目の補助データエレメントは前記ｉ番目のビデオデータエレメントと関連しており、
前記分割する工程は、前記ビデオデータファイルのうちの前記ｉ番目の補助データエレメントの先頭に対応する位置を特定する工程を含み、
前記分割する工程は、前記特定された位置より前の位置であって、前記特定された位置から前記情報記録媒体のＥＣＣブロック単位の整数倍のデータサイズ分離れた位置が、前記ｉ番目のビデオデータエレメントの先頭となるように、前記ビデオデータファイルを分割する工程を含む、請求項１８に記載の記録方法。
【請求項２７】
前記ファイルを生成する工程は、前記ビデオデータおよびオーディオデータに関連するメタデータをさらに受け取り、前記メタデータに前記メタデータを識別するためのメタデータ固有データを付与したメタデータファイルをさらに生成する工程を含み、
前記分割する工程は、前記メタデータファイルを前記複数のビデオデータエレメントそれぞれに関連する複数のメタデータエレメントに分割する工程を含み、
前記複数のメタデータエレメントのうちのｉ番目のメタデータエレメントは前記ｉ番目のビデオデータエレメントと関連しており、
前記分割する工程は、前記メタデータファイルのうちの前記ｉ番目のビデオデータエレメントの先頭に対応する位置を特定する工程を含み、
前記分割する工程は、前記特定された位置より後ろの位置であって、前記特定された位置から前記情報記録媒体のＥＣＣブロック単位の整数倍のデータサイズ分離れた位置が、前記ｉ番目のメタデータエレメントの先頭となるように、前記メタデータファイルを分割する工程を含む、請求項１８に記載の記録方法。
【請求項２８】
前記分割する工程は、前記オーディオデータファイルのうちの前記ｉ番目のビデオデータエレメントの先頭に対応する位置を特定する工程を含み、
前記分割する工程は、前記特定された位置より後ろの位置であって、前記特定された位置から前記情報記録媒体のＥＣＣブロック単位の整数倍のデータサイズ分離れた位置が、前記ｉ番目のオーディオデータエレメントの先頭となるように、前記オーディオデータファイルを分割する工程を含む、請求項１８に記載の記録方法。
【請求項２９】
前記配列する工程は、前記情報記録媒体に欠陥領域が存在した場合に、前記欠陥領域に応じて所定のデータを再配置するために用いられる再配置領域を形成するための再配置データを前記所定の記録単位に含まれて記録されるように、前記ｉ番目のビデオデータエレメントと前記ｉ番目のオーディオデータエレメントとともに配列する工程をさらに含む、請求項１８に記載の記録方法。
【請求項３０】
前記配列する工程は、前記情報記録媒体に欠陥領域が存在した場合に、前記欠陥領域に応じて所定のデータをシフトするために用いられるシフト領域を形成するためのシフトデータを前記所定の記録単位に含まれて記録されるように、前記ｉ番目のビデオデータエレメントと前記ｉ番目のオーディオデータエレメントとともに配列する工程をさらに含む、請求項１８に記載の記録方法。
【請求項３１】
第１コンテンツの少なくも一部をそれぞれ示す複数のコンテンツユニットデータを含む第１コンテンツデータと、前記第１コンテンツデータに関連する第２コンテンツデータとを受け取り、前記複数のコンテンツユニットデータそれぞれに前記複数のコンテンツユニットデータを互いに識別するための第１コンテンツ固有データを付与した第１コンテンツデータファイルを生成するとともに、前記第２コンテンツデータに前記第２コンテンツデータを識別するための第２コンテンツ固有データを付与した第２コンテンツデータファイルを生成するファイル生成部と、
前記第１コンテンツデータファイルと前記第２コンテンツデータファイルとを受け取り、前記第１コンテンツデータファイルを複数の第１コンテンツデータエレメントに分割するとともに、前記第２コンテンツデータファイルを前記複数の第１コンテンツデータエレメントそれぞれに関連する複数の第２コンテンツデータエレメントに分割する分割部であって、前記複数の第１コンテンツデータエレメントのうちのｉ（ｉは整数）番目の第１コンテンツデータエレメントは前記複数のコンテンツユニットデータのうちの所定数のコンテンツユニットデータを含む、分割部と、
前記複数の第２コンテンツデータエレメントのうちの前記ｉ番目の第１コンテンツデータエレメントに関連するｉ番目の第２コンテンツデータエレメントと、前記ｉ番目の第１コンテンツデータエレメントとが所定の記録単位に含まれて記録されるように、前記ｉ番目の第１コンテンツデータエレメントと前記ｉ番目の第２コンテンツデータエレメントとを配列する配列部と、
前記配列されたｉ番目の第１コンテンツデータエレメントとｉ番目の第２コンテンツデータエレメントとを情報記録媒体に記録する記録部と
を備える、記録装置。
【請求項３２】
前記複数のコンテンツユニットデータのうちのＩ（Ｉは整数）番目のコンテンツユニットデータを識別するための、前記第１コンテンツ固有データのうちのＩ番目の第１コンテンツ固有データは、前記Ｉ番目のコンテンツユニットデータに付与されており、
前記ファイル生成部は、前記Ｉ番目のコンテンツユニットデータに充填データと前記充填データを識別するための充填データ固有データとを付与し、
前記Ｉ番目のコンテンツユニットデータと前記Ｉ番目の第１コンテンツ固有データと前記充填データと充填データ固有データとを足したデータサイズは、前記情報記録媒体のセクタ単位の整数倍のサイズと等しい、請求項３１に記載の記録装置。
【請求項３３】
前記第１コンテンツは、ビデオおよびオーディオのうちの一方である、請求項３２に記載の記録装置。
【請求項３４】
前記Ｉ番目の第１コンテンツ固有データは、前記Ｉ番目のコンテンツユニットデータの種類を識別するための第１キーデータと、前記Ｉ番目のコンテンツユニットデータの長さを示す第１レングスデータとを含み、
前記充填データ固有データは、前記充填データの種類を識別するための第２キーデータと、前記充填データの長さを示す第２レングスデータとを含む、請求項３２に記載の記録装置。
【請求項３５】
前記第１コンテンツは、ビデオおよびオーディオのうちの一方である、請求項３４に記載の記録装置。
【請求項３６】
前記情報記録媒体にはヘッダ領域が設けられており、
前記配列部は、前記第２コンテンツ固有データが前記ヘッダ領域に記録されるように、前記第２コンテンツ固有データを前記記録部に出力する、請求項３１に記載の記録装置。
【請求項３７】
前記第２コンテンツは、ビデオおよびオーディオのうちの一方である、請求項３６に記載の記録装置。
【請求項３８】
前記第２コンテンツ固有データは、前記第２コンテンツデータの種類を識別するためのキーデータと、前記第２コンテンツデータの長さを示すレングスデータとを含む、請求項３６に記載の記録装置。
【請求項３９】
前記第２コンテンツは、ビデオおよびオーディオのうちの一方である、請求項３８に記載の記録装置。
【請求項４０】
コンテンツの少なくも一部を示すコンテンツユニットデータと、
前記コンテンツユニットデータを識別するためのコンテンツ固有データと、
前記コンテンツユニットデータに付与される充填データと、
前記充填データを識別するための充填データ固有データと
を含む情報記録媒体であって、
前記コンテンツユニットデータと前記固有データと前記充填データと充填データ固有データとを足したデータサイズは、前記情報記録媒体のセクタ単位の整数倍のサイズと等しい、情報記録媒体。
【請求項４１】
前記コンテンツは、ビデオおよびオーディオのうちの一方である、請求項４０に記載の情報記録媒体。
【請求項４２】
前記コンテンツ固有データは、前記コンテンツユニットデータの種類を識別するための第１キーデータと、前記コンテンツユニットデータの長さを示す第１レングスデータとを含み、
前記充填データ固有データは、前記充填データの種類を識別するための第２キーデータと、前記充填データの長さを示す第２レングスデータとを含む、請求項４０に記載の情報記録媒体。
【請求項４３】
前記コンテンツは、ビデオおよびオーディオのうちの一方である、請求項４２に記載の情報記録媒体。
【請求項４４】
第１コンテンツの少なくも一部をそれぞれ示す複数のコンテンツユニットデータを含む第１コンテンツデータと、前記第１コンテンツデータに関連する第２コンテンツデータとを受け取り、前記複数のコンテンツユニットデータそれぞれに前記複数のコンテンツユニットデータを互いに識別するための第１コンテンツ固有データを付与した第１コンテンツデータファイルを生成するとともに、前記第２コンテンツデータに前記第２コンテンツデータを識別するための第２コンテンツ固有データを付与した第２コンテンツデータファイルを生成する工程と、
前記第１コンテンツデータファイルと前記第２コンテンツデータファイルとを受け取り、前記第１コンテンツデータファイルを複数の第１コンテンツデータエレメントに分割するとともに、前記第２コンテンツデータファイルを前記複数の第１コンテンツデータエレメントそれぞれに関連する複数の第２コンテンツデータエレメントに分割する工程であって、前記複数の第１コンテンツデータエレメントのうちのｉ（ｉは整数）番目の第１コンテンツデータエレメントは前記複数のコンテンツユニットデータのうちの所定数のコンテンツユニットデータを含む、工程と、
前記複数の第２コンテンツデータエレメントのうちの前記ｉ番目の第１コンテンツデータエレメントに関連するｉ番目の第２コンテンツデータエレメントと、前記ｉ番目の第１コンテンツデータエレメントとが所定の記録単位に含まれて記録されるように、前記ｉ番目の第１コンテンツデータエレメントと前記ｉ番目の第２コンテンツデータエレメントとを配列する工程と、
前記配列されたｉ番目の第１コンテンツデータエレメントとｉ番目の第２コンテンツデータエレメントとを情報記録媒体に記録する工程と
を包含する、記録方法。
【請求項４５】
前記複数のコンテンツユニットデータのうちのＩ（Ｉは整数）番目のコンテンツユニットデータを識別するための、前記第１コンテンツ固有データのうちのＩ番目の第１コンテンツ固有データは、前記Ｉ番目のコンテンツユニットデータに付与されており、
前記ファイルを生成する工程は、前記Ｉ番目のコンテンツユニットデータに充填データと前記充填データを識別するための充填データ固有データとを付与する工程を含み、
前記Ｉ番目のコンテンツユニットデータと前記Ｉ番目の第１コンテンツ固有データと前記充填データと充填データ固有データとを足したデータサイズは、前記情報記録媒体のセクタ単位の整数倍のサイズと等しい、請求項４４に記載の記録方法。
【請求項４６】
前記第１コンテンツは、ビデオおよびオーディオのうちの一方である、請求項４５に記載の記録方法。
【請求項４７】
前記Ｉ番目の第１コンテンツ固有データは、前記Ｉ番目のコンテンツユニットデータの種類を識別するための第１キーデータと、前記Ｉ番目のコンテンツユニットデータの長さを示す第１レングスデータとを含み、
前記充填データ固有データは、前記充填データの種類を識別するための第２キーデータと、前記充填データの長さを示す第２レングスデータとを含む、請求項４５に記載の記録方法。
【請求項４８】
前記第１コンテンツは、ビデオおよびオーディオのうちの一方である、請求項４７に記載の記録方法。
【請求項４９】
前記情報記録媒体にはヘッダ領域が設けられており、
前記配列する工程は、前記第２コンテンツ固有データが前記ヘッダ領域に記録されるように、前記第２コンテンツ固有データを出力する工程を含む、請求項４４に記載の記録方法。
【請求項５０】
前記第２コンテンツは、ビデオおよびオーディオのうちの一方である、請求項４９に記載の記録方法。
【請求項５１】
前記第２コンテンツ固有データは、前記第２コンテンツデータの種類を識別するためのキーデータと、前記第２コンテンツデータの長さを示すレングスデータとを含む、請求項４９に記載の記録方法。
【請求項５２】
前記第２コンテンツは、ビデオおよびオーディオのうちの一方である、請求項５１に記載の記録方法。
【請求項５３】
映像を示す複数のビデオユニットデータを含むビデオデータエレメントと、
ビデオデータエレメントに関連するオーディオデータエレメントとを含み、
所定の記録単位内において前記ビデオデータエレメントと前記オーディオデータエレメントが配列された情報記録媒体であって、
前記情報記録媒体に欠陥領域が存在した場合に、前記欠陥領域に応じて所定のデータを再配置するために用いられる再配置領域を備える、情報記録媒体。
【請求項５４】
映像を示す複数のビデオユニットデータを含むビデオデータエレメントと、
ビデオデータエレメントに関連するオーディオデータエレメントとを含み、
所定の記録単位内において前記ビデオデータエレメントと前記オーディオデータエレメントが配列された情報記録媒体であって、
前記情報記録媒体に欠陥領域が存在した場合に、前記欠陥領域に応じて所定のデータをシフトするために用いられるシフト領域を備える、情報記録媒体。
【請求項５５】
前記所定のデータは、前記ビデオデータエレメントである、請求項５４に記載の情報記録媒体。
【発明の詳細な説明】
【技術分野】
【０００１】
本発明は、ビデオデータおよびオーディオデータを情報記録媒体に記録する記録装置および記録方法、ビデオデータおよびオーディオデータが記録された情報記録媒体に関する。
【背景技術】
【０００２】
光ディスク等の情報記録媒体にビデオデータおよびオーディオデータを記録し、記録したビデオデータおよびオーディオデータを編集する装置がある（例えば、特許文献１参照）。このような装置では、編集および再生動作を高速に行えるようにビデオデータおよびオーディオデータが情報記録媒体に記録されていることが望ましい。
【特許文献１】特開平１１−８８８２７号公報
【発明の開示】
【発明が解決しようとする課題】
【０００３】
また、上記特許文献１には言及されていないが、ビデオデータおよびオーディオデータ以外のデータ（補助データ、メタデータ等）も、編集および再生動作を高速におこなうことが可能なようにビデオデータおよびオーディオデータと関連付けて情報記録媒体に記録されることが望ましい。
【０００４】
本発明は、ビデオデータ、オーディオデータ、およびそれ以外のデータ（補助データ、メタデータ等）を、編集および再生動作を高速におこなうことが可能なように互いに関連付けて記録する記録装置、記録方法、およびそれらの関連付けられたデータが記録された情報記録媒体を提供することを目的とする。
【課題を解決するための手段】
【０００５】
本発明の記録装置は、映像を示す複数のビデオユニットデータを含むビデオデータと、ビデオデータに関連するオーディオデータとを受け取り、複数のビデオユニットデータそれぞれに複数のビデオユニットデータを互いに識別するためのビデオ固有データを付与したビデオデータファイルを生成するとともに、オーディオデータにオーディオデータを識別するためのオーディオ固有データを付与したオーディオデータファイルを生成するファイル生成部と、ビデオデータファイルとオーディオデータファイルとを受け取り、ビデオデータファイルを複数のビデオデータエレメントに分割するとともに、オーディオデータファイルを複数のビデオデータエレメントそれぞれに関連する複数のオーディオデータエレメントに分割する分割部であって、複数のビデオデータエレメントのうちのｉ（ｉは整数）番目のビデオデータエレメントは複数のビデオユニットデータのうちの所定数のビデオユニットデータを含む、分割部と、複数のオーディオデータエレメントのうちのｉ番目のビデオデータエレメントに関連するｉ番目のオーディオデータエレメントと、ｉ番目のビデオデータエレメントとが所定の記録単位に含まれて記録されるように、ｉ番目のビデオデータエレメントとｉ番目のオーディオデータエレメントとを配列する配列部と、配列されたｉ番目のビデオデータエレメントとｉ番目のオーディオデータエレメントとを情報記録媒体に記録する記録部とを備え、そのことにより上記目的が達成される。
【０００６】
ビデオ固有データのうちのＩ番目のビデオユニットデータを識別するためのＩ番目のビデオ固有データは、Ｉ番目のビデオユニットデータに付与されており、ファイル生成部は、Ｉ番目のビデオユニットデータに充填データと充填データを識別するための充填データ固有データとを付与し、Ｉ番目のビデオユニットデータとＩ番目のビデオ固有データと充填データと充填データ固有データとを足したデータサイズは、情報記録媒体のセクタ単位
の整数倍のサイズと等しくてもよい。
【０００７】
情報記録媒体にはヘッダ領域が設けられており、配列部は、オーディオ固有データがヘッダ領域に記録されるように、オーディオ固有データを記録部に出力されてもよい。
【０００８】
ファイル生成部は、ビデオデータおよびオーディオデータに関連するメタデータをさらに受け取り、メタデータにメタデータを識別するためのメタデータ固有データを付与したメタデータファイルをさらに生成し、分割部は、メタデータファイルを複数のビデオデータエレメントそれぞれに関連する複数のメタデータエレメントに分割し、配列部は、複数のメタデータエレメントのうちのｉ番目のビデオデータエレメントに関連するｉ番目のメタデータエレメントとｉ番目のオーディオデータエレメントとを、所定の記録単位内においてｉ番目のビデオデータエレメントよりも前に配列してもよい。
【０００９】
ファイル生成部は、ビデオデータの圧縮率より高い圧縮率で圧縮された圧縮ビデオデータを含む補助データをさらに受け取り、補助データに補助データを識別するための補助データ固有データを付与した補助データファイルをさらに生成し、分割部は、補助データファイルを複数のビデオデータエレメントそれぞれに関連する複数の補助データエレメントに分割し、配列部は、複数の補助データエレメントのうちのｉ番目のビデオデータエレメントに関連するｉ番目の補助データエレメントとｉ番目のメタデータエレメントとを、所定の記録単位内において隣接させて配列してもよい。
【００１０】
ｉ番目の補助データエレメントは、ビデオユニットデータの圧縮率より高い圧縮率で圧縮された圧縮オーディオデータをさらに含んでもよい。
【００１１】
配列部は、ｉ番目の補助データエレメントをｉ番目のビデオデータエレメントよりも前に配列してもよい。
【００１２】
配列部は、補助データエレメントを、メタデータエレメント、オーディオデータエレメントおよびビデオデータエレメントよりも前に配列してもよい。
【００１３】
ファイル生成部は、ビデオデータの圧縮率より高い圧縮率で圧縮された圧縮ビデオデータを含む補助データをさらに受け取り、補助データに補助データを識別するための補助データ固有データを付与した補助データファイルをさらに生成し、分割部は、補助データファイルを複数のビデオデータエレメントそれぞれに関連する複数の補助データエレメントに分割し、複数の補助データエレメントのうちのｉ番目の補助データエレメントはｉ番目のビデオデータエレメントと関連しており、分割部は、ビデオデータファイルのうちのｉ番目の補助データエレメントの先頭に対応する位置を特定し、分割部は、特定された位置より前の位置であって、特定された位置から情報記録媒体のＥＣＣブロック単位の整数倍のデータサイズ分離れた位置が、ｉ番目のビデオデータエレメントの先頭となるように、ビデオデータファイルを分割してもよい。
【００１４】
ファイル生成部は、ビデオデータおよびオーディオデータに関連するメタデータをさらに受け取り、メタデータにメタデータを識別するためのメタデータ固有データを付与したメタデータファイルをさらに生成し、分割部は、メタデータファイルを複数のビデオデータエレメントそれぞれに関連する複数のメタデータエレメントに分割し、複数のメタデータエレメントのうちのｉ番目のメタデータエレメントはｉ番目のビデオデータエレメントと関連しており、分割部は、メタデータファイルのうちのｉ番目のビデオデータエレメントの先頭に対応する位置を特定し、分割部は、特定された位置より後ろの位置であって、特定された位置から情報記録媒体のＥＣＣブロック単位の整数倍のデータサイズ分離れた位置が、ｉ番目のメタデータエレメントの先頭となるように、メタデータファイルを分割
してもよい。
【００１５】
分割部は、オーディオデータファイルのうちのｉ番目のビデオデータエレメントの先頭に対応する位置を特定し、分割部は、特定された位置より後ろの位置であって、特定された位置から情報記録媒体のＥＣＣブロック単位の整数倍のデータサイズ分離れた位置が、ｉ番目のオーディオデータエレメントの先頭となるように、オーディオデータファイルを分割しもよい。
【００１６】
配列部は、情報記録媒体に欠陥領域が存在した場合に、欠陥領域に応じて所定のデータを再配置するために用いられる再配置領域を形成するための再配置データを所定の記録単位に含まれて記録されるように、ｉ番目のビデオデータエレメントとｉ番目のオーディオデータエレメントとともに配列してもよい。
【００１７】
配列部は、情報記録媒体に欠陥領域が存在した場合に、欠陥領域に応じて所定のデータをシフトするために用いられるシフト領域を形成するためのシフトデータを所定の記録単位に含まれて記録されるように、ｉ番目のビデオデータエレメントとｉ番目のオーディオデータエレメントとともに配列してもよい。
【００１８】
本発明の情報記録媒体は、映像を示すビデオユニットデータと、ビデオユニットデータを識別するためのビデオ固有データと、ビデオユニットデータに付与される充填データと、充填データを識別するための充填データ固有データとを含む情報記録媒体であって、ビデオユニットデータとビデオ固有データと充填データと充填データ固有データとを足したデータサイズは、情報記録媒体のセクタ単位の整数倍のサイズと等しく、そのことにより上記目的が達成される。
【００１９】
本発明の情報記録媒体は、ヘッダ領域が設けられた情報記録媒体であって、オーディオデータと、オーディオデータを識別するためのオーディオ固有データとを含み、オーディオ固有データは、ヘッダ領域に記録されており、そのことにより上記目的が達成される。
【００２０】
本発明の情報記録媒体は、映像を示すビデオユニットデータを含むビデオデータエレメントと、ビデオデータエレメントに関連するメタデータエレメントと、ビデオデータエレメントに関連するオーディオデータエレメントと、を含み、メタデータエレメントとオーディオデータエレメントとは、所定の記録単位内においてビデオデータエレメントよりも前に配列されており、そのことにより上記目的が達成される。
【００２１】
情報記録媒体は、ビデオユニットデータの圧縮率より高い圧縮率で圧縮された圧縮ビデオデータを含む補助データエレメントであって、ビデオデータエレメントに関連する補助データエレメントをさらに含み、メタデータエレメントと補助データエレメントとは、所定の記録単位内において隣接して配列されていてもよい。
【００２２】
補助データエレメントは、ビデオユニットデータの圧縮率より高い圧縮率で圧縮された圧縮オーディオデータをさらに含んでもよい。
【００２３】
補助データエレメントはビデオデータエレメントよりも前に配列されていてもよい。
【００２４】
補助データエレメントは、メタデータエレメント、オーディオデータエレメントおよびビデオデータエレメントよりも前に配列されていてもよい。
【００２５】
本発明の情報記録媒体は、映像を示す複数のビデオユニットデータを含むビデオデータファイルを分割した複数のビデオデータエレメントと、複数のビデオユニットデータの圧
縮率より高い圧縮率で圧縮された圧縮ビデオデータをそれぞれ含む複数の補助データエレメントであって、複数のビデオデータエレメントそれぞれに関連する複数の補助データエレメントとを含み、複数のビデオデータエレメントのうちのｉ（ｉは整数）番目のビデオデータエレメントと、複数の補助データエレメントのうちのｉ番目の補助データエレメントとは関連しており、ビデオデータファイルのうちのｉ番目の補助データエレメントの先頭に対応する所定の位置よりも前の位置であって、所定の位置から情報記録媒体のＥＣＣブロック単位の整数倍のデータサイズ分離れた位置が、ｉ番目のビデオデータエレメントの先頭であり、そのことにより上記目的が達成される。
【００２６】
本発明の情報記録媒体は、ビデオデータを含む複数のビデオデータエレメントと、ビデオデータに関連するメタデータを含むメタデータファイルを分割した複数のメタデータエレメントとを含み、複数のビデオデータエレメントのうちのｉ（ｉは整数）番目のビデオデータエレメントと、複数のメタデータエレメントのうちのｉ番目のメタデータエレメントとは関連しており、メタデータファイルのうちのｉ番目のビデオデータエレメントの先頭に対応する所定の位置よりも後ろの位置であって、所定の位置から情報記録媒体のＥＣＣブロック単位の整数倍のデータサイズ分離れた位置が、ｉ番目のメタデータエレメントの先頭であり、そのことにより上記目的が達成される。
【００２７】
本発明の情報記録媒体は、ビデオデータを含む複数のビデオデータエレメントと、ビデオデータに関連するオーディオデータを含むオーディオデータファイルを分割した複数のオーディオデータエレメントとを含み、複数のビデオデータエレメントのうちのｉ（ｉは整数）番目のビデオデータエレメントと、複数のオーディオデータエレメントのうちのｉ番目のオーディオデータエレメントとは関連しており、オーディオデータファイルのうちのｉ番目のビデオデータエレメントの先頭に対応する所定の位置よりも後ろの位置であって、所定の位置から情報記録媒体のＥＣＣブロック単位の整数倍のデータサイズ分離れた位置が、ｉ番目のオーディオデータエレメントの先頭であり、そのことにより上記目的が達成される。
【００２８】
本発明の情報記録媒体は、映像を示す複数のビデオユニットデータを含むビデオデータエレメントと、ビデオデータエレメントに関連するオーディオデータエレメントとを含む情報記録媒体であって、情報記録媒体に欠陥領域が存在した場合に、欠陥領域に応じて所定のデータを再配置するために用いられる再配置領域を備える。
【００２９】
本発明の情報記録媒体は、映像を示す複数のビデオユニットデータを含むビデオデータエレメントと、ビデオデータエレメントに関連するオーディオデータエレメントとを含む情報記録媒体であって、情報記録媒体に欠陥領域が存在した場合に、欠陥領域に応じて所定のデータをシフトするために用いられるシフト領域を備える。
【００３０】
所定のデータは、ビデオデータエレメントであってもよい。
【００３１】
本発明の記録方法は、映像を示す複数のビデオユニットデータを含むビデオデータと、ビデオデータに関連するオーディオデータとを受け取り、複数のビデオユニットデータそれぞれに複数のビデオユニットデータを互いに識別するためのビデオ固有データを付与したビデオデータファイルを生成するとともに、オーディオデータにオーディオデータを識別するためのオーディオ固有データを付与したオーディオデータファイルを生成する工程と、ビデオデータファイルとオーディオデータファイルとを受け取り、ビデオデータファイルを複数のビデオデータエレメントに分割するとともに、オーディオデータファイルを複数のビデオデータエレメントそれぞれに関連する複数のオーディオデータエレメントに分割する工程であって、複数のビデオデータエレメントのうちのｉ（ｉは整数）番目のビデオデータエレメントは複数のビデオユニットデータのうちの所定数のビデオユニットデ
ータを含む、工程と、複数のオーディオデータエレメントのうちのｉ番目のビデオデータエレメントに関連するｉ番目のオーディオデータエレメントと、ｉ番目のビデオデータエレメントとが所定の記録単位に含まれて記録されるように、ｉ番目のビデオデータエレメントとｉ番目のオーディオデータエレメントとを配列する工程と、配列されたｉ番目のビデオデータエレメントとｉ番目のオーディオデータエレメントとを情報記録媒体に記録する工程とを包含し、そのことにより上記目的が達成される。
【００３２】
ビデオ固有データのうちのＩ番目のビデオユニットデータを識別するためのＩ番目のビデオ固有データは、Ｉ番目のビデオユニットデータに付与されており、ファイルを生成する工程は、Ｉ番目のビデオユニットデータに充填データと充填データを識別するための充填データ固有データとを付与する工程を含み、Ｉ番目のビデオユニットデータとＩ番目のビデオ固有データと充填データと充填データ固有データとを足したデータサイズは、情報記録媒体のセクタ単位の整数倍のサイズと等しくてもよい。
【００３３】
情報記録媒体にはヘッダ領域が設けられており、配列する工程は、オーディオ固有データがヘッダ領域に記録されるように、オーディオ固有データを出力する工程を含んでもよい。
【００３４】
ファイルを生成する工程は、ビデオデータおよびオーディオデータに関連するメタデータをさらに受け取り、メタデータにメタデータを識別するためのメタデータ固有データを付与したメタデータファイルをさらに生成する工程を含み、分割する工程は、メタデータファイルを複数のビデオデータエレメントそれぞれに関連する複数のメタデータエレメントに分割する工程を含み、配列する工程は、複数のメタデータエレメントのうちのｉ番目のビデオデータエレメントに関連するｉ番目のメタデータエレメントとｉ番目のオーディオデータエレメントとを、所定の記録単位内においてｉ番目のビデオデータエレメントよりも前に配列する工程を含んでもよい。
【００３５】
ファイルを生成する工程は、ビデオデータの圧縮率より高い圧縮率で圧縮された圧縮ビデオデータを含む補助データをさらに受け取り、補助データに補助データを識別するための補助データ固有データを付与した補助データファイルを生成する工程を含み、分割する工程は、補助データファイルを複数のビデオデータエレメントそれぞれに関連する複数の補助データエレメントに分割する工程を含み、配列する工程は、複数の補助データエレメントのうちのｉ番目のビデオデータエレメントに関連するｉ番目の補助データエレメントとｉ番目のメタデータエレメントとを、所定の記録単位内において隣接させて配列する工程を含んでもよい。
【００３６】
ｉ番目の補助データエレメントは、ビデオユニットデータの圧縮率より高い圧縮率で圧縮された圧縮オーディオデータをさらに含んでもよい。
【００３７】
配列する工程は、ｉ番目の補助データエレメントをｉ番目のビデオデータエレメントよりも前に配列する工程を含んでもよい。
【００３８】
配列する工程は、補助データエレメントを、メタデータエレメント、オーディオデータエレメントおよびビデオデータエレメントよりも前に配列する工程を含んでもよい。
【００３９】
ファイルを生成する工程は、ビデオデータの圧縮率より高い圧縮率で圧縮された圧縮ビデオデータを含む補助データをさらに受け取り、補助データに補助データを識別するための補助データ固有データを付与した補助データファイルをさらに生成する工程を含み、分割する工程は、補助データファイルを複数のビデオデータエレメントそれぞれに関連する複数の補助データエレメントに分割する工程を含み、複数の補助データエレメントのうち
のｉ番目の補助データエレメントはｉ番目のビデオデータエレメントと関連しており、分割する工程は、ビデオデータファイルのうちのｉ番目の補助データエレメントの先頭に対応する位置を特定する工程を含み、分割する工程は、特定された位置より前の位置であって、特定された位置から情報記録媒体のＥＣＣブロック単位の整数倍のデータサイズ分離れた位置が、ｉ番目のビデオデータエレメントの先頭となるように、ビデオデータファイルを分割する工程を含んでもよい。
【００４０】
ファイルを生成する工程は、ビデオデータおよびオーディオデータに関連するメタデータをさらに受け取り、メタデータにメタデータを識別するためのメタデータ固有データを付与したメタデータファイルをさらに生成する工程を含み、分割する工程は、メタデータファイルを複数のビデオデータエレメントそれぞれに関連する複数のメタデータエレメントに分割する工程を含み、複数のメタデータエレメントのうちのｉ番目のメタデータエレメントはｉ番目のビデオデータエレメントと関連しており、分割する工程は、メタデータファイルのうちのｉ番目のビデオデータエレメントの先頭に対応する位置を特定する工程を含み、分割する工程は、特定された位置より後ろの位置であって、特定された位置から情報記録媒体のＥＣＣブロック単位の整数倍のデータサイズ分離れた位置が、ｉ番目のメタデータエレメントの先頭となるように、メタデータファイルを分割する工程を含んでもよい。
【００４１】
分割する工程は、オーディオデータファイルのうちのｉ番目のビデオデータエレメントの先頭に対応する位置を特定する工程を含み、分割する工程は、特定された位置より後ろの位置であって、特定された位置から情報記録媒体のＥＣＣブロック単位の整数倍のデータサイズ分離れた位置が、ｉ番目のオーディオデータエレメントの先頭となるように、オーディオデータファイルを分割する工程を含んでもよい。
【００４２】
配列する工程は、情報記録媒体に欠陥領域が存在した場合に、欠陥領域に応じて所定のデータを再配置するために用いられる再配置領域を形成するための再配置データを所定の記録単位に含まれて記録されるように、ｉ番目のビデオデータエレメントとｉ番目のオーディオデータエレメントとともに配列する工程をさらに含んでもよい。
【００４３】
配列する工程は、情報記録媒体に欠陥領域が存在した場合に、欠陥領域に応じて所定のデータをシフトするために用いられるシフト領域を形成するためのシフトデータを所定の記録単位に含まれて記録されるように、ｉ番目のビデオデータエレメントとｉ番目のオーディオデータエレメントとともに配列する工程をさらに含んでもよい。
【００４４】
本発明の記録装置は、第１コンテンツの少なくも一部をそれぞれ示す複数のコンテンツユニットデータを含む第１コンテンツデータと、第１コンテンツデータに関連する第２コンテンツデータとを受け取り、複数のコンテンツユニットデータそれぞれに複数のコンテンツユニットデータを互いに識別するための第１コンテンツ固有データを付与した第１コンテンツデータファイルを生成するとともに、第２コンテンツデータに第２コンテンツデータを識別するための第２コンテンツ固有データを付与した第２コンテンツデータファイルを生成するファイル生成部と、第１コンテンツデータファイルと第２コンテンツデータファイルとを受け取り、第１コンテンツデータファイルを複数の第１コンテンツデータエレメントに分割するとともに、第２コンテンツデータファイルを複数の第１コンテンツデータエレメントそれぞれに関連する複数の第２コンテンツデータエレメントに分割する分割部であって、複数の第１コンテンツデータエレメントのうちのｉ（ｉは整数）番目の第１コンテンツデータエレメントは複数のコンテンツユニットデータのうちの所定数のコンテンツユニットデータを含む、分割部と、複数の第２コンテンツデータエレメントのうちのｉ番目の第１コンテンツデータエレメントに関連するｉ番目の第２コンテンツデータエレメントと、ｉ番目の第１コンテンツデータエレメントとが所定の記録単位に含まれて記
録されるように、ｉ番目の第１コンテンツデータエレメントとｉ番目の第２コンテンツデータエレメントとを配列する配列部と、配列されたｉ番目の第１コンテンツデータエレメントとｉ番目の第２コンテンツデータエレメントとを情報記録媒体に記録する記録部とを備え、そのことにより上記目的が達成される。
【００４５】
複数のコンテンツユニットデータのうちのＩ（Ｉは整数）番目のコンテンツユニットデータを識別するための、第１コンテンツ固有データのうちのＩ番目の第１コンテンツ固有データは、Ｉ番目のコンテンツユニットデータに付与されており、ファイル生成部は、Ｉ番目のコンテンツユニットデータに充填データと充填データを識別するための充填データ固有データとを付与し、Ｉ番目のコンテンツユニットデータとＩ番目の第１コンテンツ固有データと充填データと充填データ固有データとを足したデータサイズは、情報記録媒体のセクタ単位の整数倍のサイズと等しくてもよい。
【００４６】
第１コンテンツは、ビデオおよびオーディオのうちの一方であってもよい。
【００４７】
Ｉ番目の第１コンテンツ固有データは、Ｉ番目のコンテンツユニットデータの種類を識別するための第１キーデータと、Ｉ番目のコンテンツユニットデータの長さを示す第１レングスデータとを含み、充填データ固有データは、充填データの種類を識別するための第２キーデータと、充填データの長さを示す第２レングスデータとを含んでもよい。
【００４８】
第１コンテンツは、ビデオおよびオーディオのうちの一方であってもよい。
【００４９】
情報記録媒体にはヘッダ領域が設けられており、配列部は、第２コンテンツ固有データがヘッダ領域に記録されるように、第２コンテンツ固有データを記録部に出力してもよい。
【００５０】
第２コンテンツは、ビデオおよびオーディオのうちの一方であってもよい。
【００５１】
第２コンテンツ固有データは、第２コンテンツデータの種類を識別するためのキーデータと、第２コンテンツデータの長さを示すレングスデータとを含んでもよい。
【００５２】
第２コンテンツは、ビデオおよびオーディオのうちの一方であってもよい。
【００５３】
本発明の情報記録媒体は、コンテンツの少なくも一部を示すコンテンツユニットデータと、コンテンツユニットデータを識別するためのコンテンツ固有データと、コンテンツユニットデータに付与される充填データと、充填データを識別するための充填データ固有データとを含む情報記録媒体であって、コンテンツユニットデータと固有データと充填データと充填データ固有データとを足したデータサイズは、情報記録媒体のセクタ単位の整数倍のサイズと等しく、そのことにより上記目的が達成される。
【００５４】
コンテンツは、ビデオおよびオーディオのうちの一方であってもよい。
【００５５】
コンテンツ固有データは、コンテンツユニットデータの種類を識別するための第１キーデータと、コンテンツユニットデータの長さを示す第１レングスデータとを含み、充填データ固有データは、充填データの種類を識別するための第２キーデータと、充填データの長さを示す第２レングスデータとを含んでもよい。
【００５６】
コンテンツは、ビデオおよびオーディオのうちの一方であってもよい。
【００５７】
本発明の情報記録媒体は、ヘッダ領域が設けられた情報記録媒体であって、コンテンツ
の少なくも一部を示すコンテンツデータと、データを識別するためのコンテンツ固有データとを含み、コンテンツ固有データは、ヘッダ領域に記録されており、そのことにより上記目的が達成される。
【００５８】
コンテンツは、ビデオおよびオーディオのうちの一方であってもよい。
【００５９】
コンテンツ固有データは、コンテンツデータの種類を識別するためのキーデータと、コンテンツデータの長さを示すレングスデータとを含んでもよい。
【００６０】
コンテンツは、ビデオおよびオーディオのうちの一方であってもよい。
【００６１】
本発明の記録方法は、第１コンテンツの少なくも一部をそれぞれ示す複数のコンテンツユニットデータを含む第１コンテンツデータと、第１コンテンツデータに関連する第２コンテンツデータとを受け取り、複数のコンテンツユニットデータそれぞれに複数のコンテンツユニットデータを互いに識別するための第１コンテンツ固有データを付与した第１コンテンツデータファイルを生成するとともに、第２コンテンツデータに第２コンテンツデータを識別するための第２コンテンツ固有データを付与した第２コンテンツデータファイルを生成する工程と、第１コンテンツデータファイルと第２コンテンツデータファイルとを受け取り、第１コンテンツデータファイルを複数の第１コンテンツデータエレメントに分割するとともに、第２コンテンツデータファイルを複数の第１コンテンツデータエレメントそれぞれに関連する複数の第２コンテンツデータエレメントに分割する工程であって、複数の第１コンテンツデータエレメントのうちのｉ（ｉは整数）番目の第１コンテンツデータエレメントは複数のコンテンツユニットデータのうちの所定数のコンテンツユニットデータを含む、工程と、複数の第２コンテンツデータエレメントのうちのｉ番目の第１コンテンツデータエレメントに関連するｉ番目の第２コンテンツデータエレメントと、ｉ番目の第１コンテンツデータエレメントとが所定の記録単位に含まれて記録されるように、ｉ番目の第１コンテンツデータエレメントとｉ番目の第２コンテンツデータエレメントとを配列する工程と、配列されたｉ番目の第１コンテンツデータエレメントとｉ番目の第２コンテンツデータエレメントとを情報記録媒体に記録する工程とを包含し、そのことにより上記目的が達成される。
【００６２】
複数のコンテンツユニットデータのうちのＩ（Ｉは整数）番目のコンテンツユニットデータを識別するための、第１コンテンツ固有データのうちのＩ番目の第１コンテンツ固有データは、Ｉ番目のコンテンツユニットデータに付与されており、ファイルを生成する工程は、Ｉ番目のコンテンツユニットデータに充填データと充填データを識別するための充填データ固有データとを付与する工程を含み、Ｉ番目のコンテンツユニットデータとＩ番目の第１コンテンツ固有データと充填データと充填データ固有データとを足したデータサイズは、情報記録媒体のセクタ単位の整数倍のサイズと等しくてもよい。
【００６３】
第１コンテンツは、ビデオおよびオーディオのうちの一方であってもよい。
【００６４】
Ｉ番目の第１コンテンツ固有データは、Ｉ番目のコンテンツユニットデータの種類を識別するための第１キーデータと、Ｉ番目のコンテンツユニットデータの長さを示す第１レングスデータとを含み、充填データ固有データは、充填データの種類を識別するための第２キーデータと、充填データの長さを示す第２レングスデータとを含んでもよい。
【００６５】
第１コンテンツは、ビデオおよびオーディオのうちの一方であってもよい。
【００６６】
情報記録媒体にはヘッダ領域が設けられており、配列する工程は、第２コンテンツ固有データがヘッダ領域に記録されるように、第２コンテンツ固有データを出力する工程を含
んでもよい。
【００６７】
第２コンテンツは、ビデオおよびオーディオのうちの一方であってもよい。
【００６８】
第２コンテンツ固有データは、第２コンテンツデータの種類を識別するためのキーデータと、第２コンテンツデータの長さを示すレングスデータとを含んでもよい。
【００６９】
第２コンテンツは、ビデオおよびオーディオのうちの一方であってもよい。
【発明の効果】
【００７０】
本発明によれば、ビデオユニットデータとビデオ固有データと充填データと充填データ固有データとを足したデータサイズは、情報記録媒体のセクタ単位の整数倍のサイズと等しい。これにより、ユーザが映像の部分削除等の編集を行う場合に、編集すべきフレームに高速にアクセスすることが可能となるので、編集を高速に行うことが出来る。
【００７１】
また本発明によれば、メタデータエレメントとオーディオデータエレメントとは、所定の記録単位内においてビデオデータエレメントよりも前に配列されている。また、メタデータエレメントと補助データエレメントとは、所定の記録単位内において隣接して配列されている。また、補助データエレメントは、メタデータエレメント、オーディオデータエレメントおよびビデオデータエレメントよりも前に配列されている。本発明のこれらのデータ配列により、高速サーチを含む高速な再生動作を行うことが出来る。
【発明を実施するための最良の形態】
【００７２】
図１は、本発明の実施の形態における記録装置１００を示す。
【００７３】
記録装置１００は、ビデオデータ１０１とオーディオデータ１０２とを受け取りビデオデータファイル１１１とオーディオデータファイル１１２とを生成するファイル生成部１１０と、ビデオデータファイル１１１とオーディオデータファイル１１２とを複数のビデオデータエレメントＶＥ１〜ｍ（ｍは整数）と複数のオーディオデータエレメントＡＥ１〜ｍとに分割する分割部１２０と、互いに関連するビデオデータエレメントとオーディオデータエレメントとを所定の記録単位に含まれて記録されるように配列した配列データ１３１を生成する配列部１３０と、配列データ１３１を情報記録媒体１５０に記録する記録部１４０とを備える。情報記録媒体１５０は例えば光ディスク媒体である。
【００７４】
ファイル生成部１１０は、ビデオデータ１０１、オーディオデータ１０２、補助ＡＶデータ１０３およびリアルタイムメタデータ１０４を受け取る。
【００７５】
ビデオデータ１０１は、カメラで撮影された映像の１シーン（ビデオコンテンツ）を示す。映像の１シーンとは、例えば、カメラの録画ボタンが押されてからその録画停止ボタンが押されるまでの期間に撮影された一連の映像をいう。ビデオデータ１０１は、複数のビデオユニットデータＶＵ１〜ＶＵｎ（ｎは整数）を含む。
【００７６】
オーディオデータ１０２は、その映像の１シーンに関連する音（オーディオコンテンツ）を示す。補助ＡＶデータ１０３とは、ビデオデータ１０１の圧縮率より高い圧縮率で圧縮されたビデオデータおよびオーディオデータの組をいう。リアルタイムメタデータ１０４は、ビデオデータ１０１およびオーディオデータ１０２の付加情報（例えば、タイムコード、ＵＭＩＤ）を示す。ＵＭＩＤについては後述する。
【００７７】
ビデオデータファイル１１１について説明する。ファイル生成部１１０（図１）は、複数のビデオユニットデータＶＵ１〜ＶＵｎを含むビデオデータ１０１を受け取り、ビデオ
データファイル１１１を生成する。
【００７８】
図２Ａにビデオデータファイル１１１を示す。図２Ａに示されるビデオデータファイル１１１のフォーマットは、ＭＸＦ（Ｍａｔｅｒｉａｌ  Ｅｘｃｈａｎｇｅ  Ｆｏｒｍａｔ）と呼ばれる（ＭＸＦ規格＝ＳＭＰＴＥ  ３７７Ｍ）。複数のビデオユニットデータＶＵ１〜ＶＵｎのフォーマットは、例えば、Ｄ１０である。
【００７９】
ビデオデータファイル１１１は、ＭＸＦファイルヘッダ１６１と、ＭＸＦファイルボディ１６２と、ＭＸＦファイルフッタ１６３とを含む。ＭＸＦファイルヘッダ１６１、ＭＸＦファイルボディ１６２およびＭＸＦファイルフッタ１６３それぞれのデータサイズは、例えば６５５３６バイトの整数倍のサイズである。ＭＸＦファイルヘッダ１６１とＭＸＦファイルフッタ１６３とは、ＭＸＦファイルボディ１６２の固有データを含む。
【００８０】
ＭＸＦファイルボディ１６２について説明する。ビデオユニットデータＶＵ１〜ＶＵｎはピクチャアイテムのバリューを示す。ファイル生成部１１０（図１）は、複数のビデオユニットデータＶＵ１〜ＶＵｎそれぞれに、ビデオ固有データであるキーデータＫＶ１〜ＫＶｎおよびレングスデータＬＶ１〜ＬＶｎを付与する（ＫＬＶコーディングされたフレームラッピング形式のビデオエッセンスが得られる）。キーデータＫＶ１〜ＫＶｎは、ビデオユニットデータＶＵ１〜ＶＵｎ（ピクチャアイテム）の種類を識別するためのデータである。レングスデータＬＶ１〜ＬＶｎは複数のビデオユニットデータＶＵ１〜ＶＵｎ（ピクチャアイテム）それぞれの長さを示す。
【００８１】
ファイル生成部１１０は、複数のビデオユニットデータＶＵ１〜ＶＵｎそれぞれに、フィラデータ（充填データ）ＦＶ１〜ＦＶｎを付与する。フィラデータはフィラアイテムを示す。
【００８２】
ファイル生成部１１０（図１）は、複数のフィラデータＦＶ１〜ＦＶｎそれぞれに、フィラデータの固有データであるキーデータＫＦ１〜ＫＦｎおよびレングスデータＬＦ１〜ＬＦｎを付与する。キーデータＫＦ１〜ＫＦｎは、複数のフィラデータＦＶ１〜ＦＶｎ（フィラアイテム）を互いに識別するためのデータである。レングスデータＬＦ１〜ＬＦｎは複数のフィラデータＦＶ１〜ＦＶｎ（フィラアイテム）それぞれの長さを示す。
【００８３】
ビデオユニットデータＶＵｉ（ｉは１≦ｉ≦ｎを満たす整数）と、キーデータＫＶｉと、レングスデータＬＶｉと、フィラデータＦＶｉと、キーデータＫＦｉと、レングスデータＬＦｉとを合計したデータサイズは、情報記録媒体１５０（図１）のセクタ単位の整数倍（例えば２０４８バイトの整数倍）のサイズと等しい。フィラデータＦＶｉは、上記合計したデータサイズがセクタ単位の整数倍のサイズと等しくなるよう調整するためにビデオユニットデータＶＵｉに付与される充填データである。ビデオユニットデータＶＵｉのフォーマットが、例えばＤＶ−Ｐｉｃｔｕｒｅである場合は、ビデオユニットデータＶＵｉにはＶＡＵＸデータアイテムとその固有データが付与される。また、ＭＰＥＧ−Ｌｏｎｇ  ＧＯＰである場合は、ビデオユニットデータＶＵｉの長さはフレーム毎に異なるが、フィラデータＦＶｉのサイズは、ビデオユニットデータＶＵｉと、ビデオユニットデータＶＵｉに関連付けられて付与される上記の複数種類のデータとの合計サイズがセクタ単位の整数倍のサイズになるように設定されている。
【００８４】
オーディオデータファイル１１２について説明する。ファイル生成部１１０（図１）は、オーディオデータ１０２を受け取り、オーディオデータファイル１１２を生成する。
【００８５】
図２Ｂにオーディオデータファイル１１２を示す。図２Ｂに示されるオーディオデータファイル１１２のフォーマットは、ＭＸＦと呼ばれる。オーディオデータ１０２のフォー
マットは、例えば、ＬＰＣＭである。
【００８６】
オーディオデータファイル１１２は、ＭＸＦファイルヘッダ１７１と、ＭＸＦファイルボディ１７２と、ＭＸＦファイルフッタ１７３とを含む。ＭＸＦファイルヘッダ１７１、ＭＸＦファイルボディ１７２およびＭＸＦファイルフッタ１７３それぞれのデータサイズは、例えば６５５３６バイトの整数倍のサイズである。ＭＸＦファイルヘッダ１７１とＭＸＦファイルフッタ１７３とは、ＭＸＦファイルボディ１７２の固有データを含む。
【００８７】
ファイル生成部１１０（図１）は、オーディオデータ１０２に、オーディオ固有データであるキーデータＫＡおよびレングスデータＬＡを付与する（クリップ全体でＫＬＶコーディングされたクリップラッピング形式のオーディオエッセンスが得られる）。キーデータＫＡは、オーディオデータ１０２（サウンドアイテム）を識別するためのデータである。レングスデータＬＡはオーディオデータ１０２（サウンドアイテム）の長さを示す。これらキーデータＫＡおよびレングスデータＬＡは、ＭＸＦファイルボディ１７２ではなくＭＸＦファイルヘッダと１７１に含まれる。
【００８８】
ファイル生成部１１０（図１）は、オーディオデータ１０２にフィラデータ（充填データ）ＦＡを付与する。
【００８９】
ファイル生成部１１０は、フィラデータＦＡに、フィラデータの固有データであるキーデータＫＦＡおよびレングスデータＬＦＡを付与する。キーデータＫＦＡは、フィラデータＦＡを識別するためのデータである。レングスデータＬＦＡはフィラデータＦＡの長さを示す。
【００９０】
オーディオデータ１０２と、フィラデータＦＡと、キーデータＫＦＡと、レングスデータＬＦＡとを合計したデータサイズは、例えば６５５３６バイトの整数倍のサイズである。この場合、フィラデータＦＡは、上記合計したデータサイズが６５５３６バイトの整数倍のサイズとなるよう調整するためにオーディオデータ１０２に付与される充填データである。
【００９１】
なお、図２Ｂに示すオーディオデータファイル１１２は１チャネル分のオーディオデータファイルであり、ファイル生成部１１０は、チャネル数分のオーディオデータ１０２を受け取り、チャネル数分のオーディオデータファイル１１２を生成する。
【００９２】
補助ＡＶデータファイル１１３について説明する。ファイル生成部１１０（図１）は、複数のコンテンツパッケージＣＰ１〜ＣＰｍ（ｍは整数）を含む補助ＡＶデータ１０３を受け取り、補助ＡＶデータファイル１１３を生成する。
【００９３】
図２Ｃに補助ＡＶデータファイル１１３を示す。図２Ｃに示される補助ＡＶデータファイル１１３のフォーマットは、ＭＸＦと呼ばれる。
【００９４】
補助ＡＶデータファイル１１３は、ＭＸＦファイルヘッダ１８１と、ＭＸＦファイルボディ１８２と、ＭＸＦファイルフッタ１８３とを含む。ＭＸＦファイルヘッダ１８１、ＭＸＦファイルボディ１８２およびＭＸＦファイルフッタ１８３それぞれのデータサイズは、例えば６５５３６バイトの整数倍のサイズである。ＭＸＦファイルヘッダ１８１とＭＸＦファイルフッタ１８３とは、ＭＸＦファイルボディ１８２の固有データを含む。
【００９５】
ＭＸＦファイルボディ１８２について説明する。ファイル生成部１１０（図１）は、複数のコンテンツパッケージＣＰ１〜ＣＰｍそれぞれが含むアイテムに固有データであるキーデータとレングスデータとを付す。例えば、コンテンツパッケージＣＰ１について説明
すると、補助ＡＶデータ１０３が含むシステムアイテムＳＩ１ＡにキーデータＫＳＩとレングスデータＬＳＩとを付し、システムアイテムＳＩ１を生成する。また、補助ＡＶデータ１０３が含むピクチャエッセンスＰｅ１ＡにキーデータＫＰｅとレングスデータＬＰｅとを付し、ピクチャエッセンスＰｅ１を生成する。また、補助ＡＶデータ１０３が含むサウンドエッセンスＳｅ１ＡにキーデータＫＳｅとレングスデータＬＳｅとを付し、サウンドエッセンスＳｅ１を生成する。
【００９６】
複数のコンテンツパッケージＣＰ１〜ＣＰｍは、システムアイテムＳＩ１〜ＳＩｍ、ピクチャエッセンスＰｅ１〜ＰｅｍおよびサウンドエッセンスＳｅ１〜Ｓｅｍをそれぞれ含む。ピクチャエッセンスＰｅ１〜ＰｅｍおよびサウンドエッセンスＳｅ１〜Ｓｅｍそれぞれは、ビデオデータ１０１の圧縮率より高い圧縮率で圧縮されたビデオデータおよびオーディオデータを含む。システムアイテムＳＩ１〜ＳＩｍは複数のコンテンツパッケージＣＰ１〜ＣＰｍの固有データである。
【００９７】
ピクチャエッセンスＰｅｍは例えばＭＰＥＧ−４エレメンタリストリームである。コンテンツパッケージＣＰｍは、チャネル数分のサウンドエッセンスＳｅｍを含む。システムアイテムＳＩｍとピクチャエッセンスＰｅｍとを合計したデータサイズは、例えば６×６５５３６バイトである。サウンドエッセンスＳｅｍのサイズは、例えば３２７６８バイトである。
【００９８】
ＭＸＦファイルボディ１８２に含まれる各エレメントは年輪フォーマットの基準年輪期間を基準として分割されている。各エレメントは基準年輪期間の整数倍の時間分のデータを有する。年輪フォーマットについては後述する。基準年輪期間は、フレーム周波数が例えば５９．９４Ｈｚ、２９．９７Ｈｚまたは２３．９８Ｈｚである場合は、２．０×１．００１＝２．００２秒である。また基準年輪期間は、フレーム周波数が例えば５０Ｈｚ、２５Ｈｚまたは２４Ｈｚである場合の基準年輪期間は、２．０秒である。ピクチャエッセンスＰｅ１〜Ｐｅｍそれぞれは、基準年輪期間に応じた約２秒分（例えば２．００２秒または２．０秒）の高圧縮ビデオデータを含む。
【００９９】
リアルタイムメタデータファイル１１４について説明する。ファイル生成部１１０（図１）は、複数のフレーム０〜ｄ（ｄは整数）を含むリアルタイムメタデータ１０４を受け取り、リアルタイムメタデータファイル１１４を生成する。
【０１００】
図２Ｄにリアルタイムメタデータファイル１１４を示す。図２Ｄに示されるリアルタイムメタデータファイル１１４のフォーマットは、ＢｉＭ（Ｂｉｎａｒｙ  ｆｏｒｍａｔ  ｆｏｒ  Ｍｕｌｔｉｍｅｄｉａ  ｄｅｓｃｒｉｐｔｉｏｎ  ｓｔｒｅａｍｓ）と呼ばれる。ＢｉＭの詳細はＭＰＥＧ７と呼ばれるＩＳＯ／ＩＥＣ  ＦＤＩＳ  １５９３８−１の規格書に記載されており、本明細書中では説明の簡便化のためにＢｉＭの詳細な説明は省略する。リアルタイムメタデータファイル１１４は、ＢｉＭファイルヘッダ１９１と、ＢｉＭファイルボディ１９２とを含む（ＢｉＭファイルフッタは存在しない）。ＢｉＭファイルヘッダ１９１は、ＢｉＭファイルボディ１９２の固有データ（フレーム数等）を含む。ＢｉＭファイルボディ１９２は、複数のフレーム０〜ｄを含む。ＭＸＦファイルボディ１８２（図２Ｃ）と同様に、ＢｉＭファイルボディ１９２に含まれる各エレメントは年輪フォーマットの基準年輪期間を基準として分割されている。
【０１０１】
複数のフレーム０〜ｄのフォーマットは、ＦＵＵ（Ｆｒａｇｍｅｎｔ  Ｕｐｄａｔｅ  Ｕｎｉｔ）と呼ばれる。複数のフレーム０〜ｄそれぞれのデータサイズは例えば６１４４バイトである。複数のフレーム０〜ｄそれぞれは、メタデータアイテム（ＬＴＣ、ＵＭＩＤ、ＫＬＶパケット等）を含む。また、複数のフレーム０〜ｄそれぞれは、ＡＲＩＢメタデータおよび拡張リアルタイムメタデータ（Ｅｘｔｅｎｄｅｄ  Ｒｅａｌ−Ｔｉｍｅ  Ｍ
ｅｔａｄａｔａ）を含んでもよい。
【０１０２】
分割部１２０（図１）は、ファイル生成部１１０から出力されるビデオデータファイル１１１、オーディオデータファイル１１２、補助ＡＶデータファイル１１３およびリアルタイムメタデータファイル１１４を受け取る。
【０１０３】
分割部１２０は、ビデオデータファイル１１１、オーディオデータファイル１１２および補助ＡＶデータファイル１１３それぞれの、ヘッダ、ボディおよびフッタを互いに分割する。分割部１２０は、リアルタイムメタデータファイル１１４のヘッダとボディとを分割する。
【０１０４】
分割部１２０は、図２Ａに示すＭＸＦファイルボディ１６２を図３Ａに示す複数のビデオデータエレメントＶＥ１〜ＶＥｍに分割する（図３Ａに示すｐ、ｑは、ｐ＜ｑ＜ｎを満たす整数）。ＭＸＦファイルボディ１６２は、例えば各ビデオデータエレメントが２秒の再生映像が得られる量のビデオユニットデータを含むように分割される。
【０１０５】
分割部１２０は、図２Ｂに示すＭＸＦファイルボディ１７２を、オーディオデータ１０２と、キーデータＫＦＡ、レングスデータＬＦＡ、フィラデータＦＡとを分割する。分割部１２０はオーディオデータ１０２を図３Ｂに示す複数のオーディオデータエレメントＡＥ１〜ＡＥｍに分割する。
【０１０６】
複数のオーディオデータエレメントＡＥ１〜ＡＥｍのそれぞれは、複数のビデオデータエレメントＶＥ１〜ＶＥｍのうちの一つと関連する。例えば、オーディオデータエレメントＡＥ１は、オーディオデータ１０２のうちの、ビデオデータエレメントＶＥ１が含むビデオユニットデータＶＵ１〜ＶＵｐと同期する範囲のデータ（すなわちビデオデータエレメントＶＥ１と同時に再生されるべきオーディオデータ）である。分割部１２０は、チャネル数分のＭＸＦファイルボディ１７２を分割する。
【０１０７】
分割部１２０は、図２Ｃに示すＭＸＦファイルボディ１８２を図３Ｃに示す複数の補助ＡＶデータエレメントＳＥ１〜ＳＥｍに分割する。
【０１０８】
複数の補助ＡＶデータエレメントＳＥ１〜ＳＥｍのそれぞれは、複数のビデオデータエレメントＶＥ１〜ＶＥｍのうちの一つと関連する。例えば、補助ＡＶデータエレメントＳＥ１は、ビデオデータエレメントＶＥ１が含むビデオユニットデータＶＵ１〜ＶＵｐを圧縮した高圧縮ビデオデータおよびそれに関連する高圧縮オーディオデータである。
【０１０９】
分割部１２０は、図２Ｄに示すＢｉＭファイルボディ１９２を図３Ｄに示す複数のリアルタイムメタデータエレメントＲＥ１〜ＲＥｍに分割する（図３Ｄに示すｃ、ｅは、ｃ＜ｅ＜ｄを満たす整数）。
【０１１０】
複数のリアルタイムメタデータエレメントＲＥ１〜ＲＥｍのそれぞれは、複数のビデオデータエレメントＶＥ１〜ＶＥｍのうちの一つと関連する。例えば、リアルタイムメタデータエレメントＲＥ１は、ビデオデータエレメントＶＥ１が含むビデオユニットデータＶＵ１〜ＶＵｐおよびそれに関連するオーディオデータエレメントＡＥ１の付加情報（例えば、タイムコード、ＵＭＩＤ）を示す。
【０１１１】
配列部１３０（図１）は、分割部１２０から出力されるビデオデータエレメントＶＥ１〜ＶＥｍ、オーディオデータエレメントＡＥ１〜ＡＥｍ、補助ＡＶデータエレメントＳＥ１〜ＳＥｍ、リアルタイムメタデータエレメントＲＥ１〜ＲＥｍ、ビデオデータファイル１１１とオーディオデータファイル１１２と補助ＡＶデータファイル１１３とのそれぞれ
のヘッダおよびフッタ、リアルタイムメタデータファイル１１４のヘッダを受け取り、互いに関連するエレメントを、同じボディ年輪内に含まれて記録されるように配列する。
【０１１２】
図４に、配列部１３０が生成した配列データ１３１を示す。配列データ１３１は、「年輪フォーマット（Ａｎｎｕｌｕｓ  ｆｏｒｍａｔ）」と呼ばれるフォーマットで生成される。「年輪フォーマット」とは、複数のデータファイルのそれぞれを複数のエレメントに分割し、これらのエレメントを「年輪（Ａｎｎｕｌｕｓ）」を１単位として配列することによって得られるフォーマットをいう。「年輪」とは、年輪フォーマットの１単位をいう。「年輪」には、「ボディ年輪（Ｂｏｄｙ  Ａｎｎｕｌｕｓ）」、「ヘッダ年輪（Ｈｅａｄｅｒ  Ａｎｎｕｌｕｓ）」、「フッタ年輪（Ｆｏｏｔｅｒ  Ａｎｎｕｌｕｓ）」という３つのタイプがある。
【０１１３】
配列データ１３１は、ｍ個のボディ年輪（第１ボディ年輪２０１〜第ｍボディ年輪２０２）と、フッタ年輪２０３と、ヘッダ年輪２０４とを含む。
【０１１４】
第１ボディ年輪２０１は、補助ＡＶデータエレメントＳＥ１、リアルタイムメタデータエレメントＲＥ１、再配置領域を形成するための再配置データＲＡ１、チャネル数分のオーディオデータエレメントＡＥ１、ビデオデータエレメントＶＥ１およびシフト領域を形成するためのシフトデータＳＡ１を含む。
【０１１５】
第ｍボディ年輪２０２は、補助ＡＶデータエレメントＳＥｍ、リアルタイムメタデータエレメントＲＥｍ、再配置領域を形成するための再配置データＲＡｍ、チャネル数分のオーディオデータエレメントＡＥｍ、ビデオデータエレメントＶＥｍおよびシフト領域を形成するためのシフトデータＳＡｍをこの順番の配列で含む。チャネル数分のオーディオデータエレメントＡＥｍは、チャネル番号の順に配列される。
【０１１６】
フッタ年輪２０３は、補助ＡＶデータエレメントフッタデータＳＥｆ、再配置領域を形成するための再配置データＲＡｆ、チャネル数分のオーディオデータエレメントフッタデータＡＵｆ、ビデオデータエレメントフッタデータＶＥｆおよびシフト領域を形成するためのシフトデータＳＡｆをこの順番の配列で含む。補助ＡＶデータエレメントフッタデータＳＥｆは、ＭＸＦファイルフッタ１８３（図２Ｃ）が含むデータである。オーディオデータエレメントフッタデータＡＵｆは、ＭＸＦファイルフッタ１７３（図２Ｂ）が含むデータである。ビデオデータエレメントフッタデータＶＥｆは、ＭＸＦファイルフッタ１６３（図２Ａ）が含むデータである。
【０１１７】
ヘッダ年輪２０４は、補助ＡＶデータエレメントヘッダデータＳＥｈ、リアルタイムメタデータエレメントヘッダデータＲＥｈ、再配置領域を形成するための再配置データＲＡｈ、チャネル数分のオーディオデータエレメントヘッダデータＡＥｈ、ビデオデータエレメントヘッダデータＶＥｈおよびシフト領域を形成するためのシフトデータＳＡｈをこの順番の配列で含む。補助ＡＶデータエレメントヘッダデータＳＥｈは、ＭＸＦファイルヘッダ１８１（図２Ｃ）が含むデータである。リアルタイムメタデータエレメントヘッダデータＲＥｈは、ＭＸＦファイルヘッダ１９１（図２Ｄ）が含むデータである。オーディオデータエレメントヘッダデータＡＥｈは、ＭＸＦファイルヘッダ１７１（図２Ｂ）が含むデータである（オーディオデータエレメントヘッダデータＡＥｈは、オーディオ固有データであるキーデータＫＡおよびレングスデータＬＡを含む）。ビデオデータエレメントヘッダデータＶＥｈは、ＭＸＦファイルヘッダ１６１（図２Ａ）が含むデータである。
【０１１８】
各年輪（第１ボディ年輪２０１〜第ｍボディ年輪２０２、フッタ年輪２０３、ヘッダ年輪２０４）は、将来追加のデータを記録するためのリザーブ領域を形成するためのリザーブ領域データを含んでもよい。
【０１１９】
各年輪（第１ボディ年輪２０１〜第ｍボディ年輪２０２、フッタ年輪２０３、ヘッダ年輪２０４）は、ＥＣＣブロックの先頭セクタから開始するように記録される。各エレメントは、ＥＣＣブロックの境界から開始し、ＥＣＣブロックの境界で終了するように記録される。図４では、ＥＣＣブロックの境界は▲で示されている。
【０１２０】
記録部１４０（図１）は、記録ヘッドと記録ヘッドを制御する記録ヘッド制御部とを備える。記録部１４０は、配列部１３０から出力される配列データ１３１を受け取り、配列データ１３１の内容に応じたレーザ光１４１を情報記録媒体１５０に照射して、配列データ１３１を情報記録媒体１５０に記録する。なお、情報記録媒体１５０が磁気記録媒体である場合は、記録部１４０は配列データ１３１の内容に応じた磁場を情報記録媒体１５０に印加する。
【０１２１】
図５Ａに、年輪フォーマットの配列データ１３０が記録された情報記録媒体１５０を示す。情報記録媒体１５０には、第１〜第ｍボディ年輪２０１〜２０２が記録されたボディ年輪領域２１１と、フッタ年輪２０３が記録されたフッタ年輪領域２１３と、ヘッダ年輪２０４が記録されたヘッダ年輪領域２１４とが形成されている。ボディ年輪領域２１１と、フッタ年輪領域２１３と、ヘッダ年輪領域２１４との間の位置関係は任意である。なお、再配置データＲＡ１〜ｍ、ＲＡｆ、ＲＡｈ、シフトデータＳＡ１〜ｍ、ＳＡｆ、ＳＡｈは空データであるので、情報記録媒体１５０のうちの再配置データＲＡ１〜ｍ、ＲＡｆ、ＲＡｈ、シフトデータＳＡ１〜ｍ、ＳＡｆ、ＳＡｈが配列された領域には具体的なデータは何も記録されていない。ここでは再配置データＲＡｍおよびシフトデータＳＡｍが配列された領域について説明する。
【０１２２】
再配置データＲＡｍに対応する再配置領域ＲＡは、補助ＡＶデータエレメントＳＥｍ、リアルタイムメタデータエレメントＲＥｍ、オーディオデータエレメントＡＥｍが記録された領域に欠陥領域（データ上書き時などにおいて正しくデータが書き込めない領域）が存在する場合に、欠陥領域に対応するデータを記録するための領域である。データの移動は例えばＥＣＣ単位の整数倍（またはセクタ単位の整数倍）のデータサイズ単位で行う。再配置領域ＲＡのサイズは例えば１３１０７２バイトである。図５Ｂに示すように、例えば、補助ＡＶデータエレメントＳＥｍおよびオーディオデータエレメントＡＥｍそれぞれが記録される領域において欠陥領域（×印）が検出された場合には、補助ＡＶデータエレメントＳＥｍおよびオーディオデータエレメントＡＥｍそれぞれの欠陥領域に記録予定であったデータが再配置領域ＲＡに記録される。
【０１２３】
シフトデータＳＡｍに対応するシフト領域ＳＡは、ビデオデータエレメントＶＥｍが記録された領域に欠陥領域（データ上書き時などにおいて正しくデータが書き込めない領域）が存在する場合に、ビデオデータエレメントＶＥｍの後半部のデータをシフトさせて記録するための領域である。データのシフトは例えばＥＣＣ単位の整数倍（またはセクタ単位の整数倍）のデータサイズ単位で行う。シフト領域ＳＡのサイズは例えば６５５３６バイトの整数倍（例えばビデオデータエレメントＶＥｍの５パーセントのデータサイズ）である。図５Ｂに示すように、ビデオデータエレメントＶＥｍが記録される領域において欠陥領域（×印）が検出された場合には、欠陥領域に記録予定であったビデオデータエレメントＶＥｍの部分データが欠陥領域の末尾に隣接する正常な記録領域にシフトして記録され、それに応じて、欠陥領域より後ろの記録領域に記録予定であったビデオデータエレメントＶＥｍの別の部分データが後ろへシフトして記録される。欠陥領域のサイズ分だけビデオデータエレメントＶＥｍの後半部のデータがシフト領域ＳＡにシフトして記録され、ビデオデータエレメントＶＥｍを記録する新しい記録領域ＶＥｎｅｗが形成される。なお、欠陥領域の検出、データの再配置およびシフトは、例えば、正しくデータが記録できない欠陥領域を検出する検出部を記録装置１００が備え、検出部が欠陥領域を検出した場合
に、配列部１３０が配列データ１３０の配列パターンを調整することにより行われる。
【０１２４】
また、リアルタイムメタデータエレメントＲＥｍ（図５Ａ）は、付加情報としてＵＭＩＤ（Ｕｎｉｑｕｅ  Ｍａｔｅｒｉａｌ  Ｉｄｅｎｔｉｆｉｅｒ）を含む。ＵＭＩＤとは、ＡＶエレメントおよびＡＶエレメントが含むユニットデータをグローバルユニークに識別するための識別子である。ＵＭＩＤは、例えば３２バイトまたは６４バイトのバイト列を有する。
【０１２５】
３２バイトのバイト列を有するＵＭＩＤを基本ＵＭＩＤ（Ｂａｓｉｃ  ＵＭＩＤ）と呼ぶ。基本ＵＭＩＤはＡＶエレメントを識別するために用いる。ＡＶエレメントは、圧縮または非圧縮のビデオデータエレメント、圧縮または非圧縮のオーディオデータエレメント、マルチチャネルデータまたはシングルチャネルデータ等であり、本実施の形態では、例えば、図５Ａに示すビデオデータエレメントＶＥｍおよびビデオデータエレメントＶＥｍに関連するオーディオデータエレメントＡＥｍである。
【０１２６】
６４バイトのバイト列を有するＵＭＩＤを拡張ＵＭＩＤ（Ｅｘｔｅｎｄｅｄ  ＵＭＩＤ）と呼ぶ。拡張ＵＭＩＤは、ＡＶエレメントの識別に加えて、ＡＶエレメントが含むユニットデータを識別するために用いる。ユニットデータは、ビデオクリップデータまたは編集済みの完全にパッケージングされた状態のビデオデータエレメントが含む１フレームデータ等、所定のデータ単位の映像を示すデータであり、本実施の形態では、例えば、図３Ａに示すビデオユニットデータＶＵｎである。
【０１２７】
基本ＵＭＩＤは、ＡＶエレメントを識別するためのグローバルユニークな識別値を含む。この識別値は、例えば、ＡＶエレメントが生成された時刻とＡＶエレメントを生成した機器のＭＡＣ（Ｍｅｄｉａ  Ａｃｃｅｓｓ  Ｃｏｎｔｒｏｌ）アドレスとを組み合わせた値である。
【０１２８】
基本ＵＭＩＤは、ＡＶエレメントを識別するために用いられるが、他のデータ、例えば、補助データエレメント（データエッセンス、サブタイトルデータおよびカルーセルデータ等）を識別するために用いられても良い。また、ビデオデータエレメントとそれに同期したオーディオデータエレメントとを１グループのエレメントとして識別するように基本ＵＭＩＤに識別値を割り当てても良い。また、１フレームデータで構成されるビデオクリップデータ、編集済みの完全にパッケージングされた状態のビデオデータエレメント等を識別するように基本ＵＭＩＤに識別値を割り当てても良い。基本ＵＭＩＤを用いることで、任意の長さのデータを識別することが出来る。
【０１２９】
拡張ＵＭＩＤは、ＡＶエレメントの識別に加えて、ＡＶエレメントが含むユニットデータを識別するために用いられる。拡張ＵＭＩＤのフォーマットの一例を図５Ｃに示す。図５Ｃに示す拡張ＵＭＩＤ２４１は、基本ＵＭＩＤ２４２とソースパック２４３とを含む。拡張ＵＭＩＤ２４１のデータサイズは例えば６４バイトである。基本ＵＭＩＤ２４２およびソースパック２４３それぞれのデータサイズは例えば３２バイトである。基本ＵＭＩＤ２４２はＡＶエレメントを識別するための識別子として拡張ＵＭＩＤ２４１に含まれる。ソースパック２４３は、ＡＶデータエレメントが含むユニットデータの初期生成条件を示す時間データ２４４、位置データ２４５およびユーザデータ２４６を含む。
【０１３０】
時間データ２４４は、ユニットデータを最初に生成した時間（年月日および時刻）を示す。時間データ２４４のデータサイズは例えば８バイトである。時間データ２４４が示す時間をユニットデータ毎に異ならせることにより、ユニットデータを識別することが出来る。例えば、拡張ＵＭＩＤ２４１を用いて識別するユニットデータがフレームデータである場合には、時間データ２４４として記録される時間をカウントする速さを、フレームレ
ートよりも速くなるように設定することで、時間データ２４４が示す時間をフレームデータ毎に異ならせることが出来る。
【０１３１】
位置データ２４５は、ユニットデータを最初に生成した場所の地理的位置情報（例えば、高度、緯度および経度）を示す。位置データ２４５のデータサイズは例えば１２バイトである。位置データ２４５が高度、緯度および経度を示す場合、高度を示すデータ、緯度を示すデータおよび経度を示すデータそれぞれのデータサイズは例えば４バイトである。位置データ２４５は、映像を撮影した撮影者の位置を示してもよいし、撮影対象の位置を示しても良い。また、ＧＰＳ（Ｇｌｏｂａｌ  Ｐｏｓｉｔｉｏｎｉｎｇ  Ｓｙｓｔｅｍ）受信機から得られるＧＰＳデータを位置データ２４５としてもよい。ＧＰＳ受信機は、撮影機器に外部接続または内蔵され得る。
【０１３２】
ユーザデータ２４６は、ユニットデータを最初に生成したユーザ（例えば撮影者）に関するデータを示す。ユーザデータ２４６は、国コード２４７、組織コード２４８およびユーザコード２４９を含む。ユーザデータ２４６のデータサイズは例えば１２バイトである。国コード２４７、組織コード２４８、ユーザコード２４９それぞれのデータサイズは例えば４バイトである。
【０１３３】
国コード２４７は、ユーザが属する組織の本拠国を示す文字列であり、例えばＩＳＯ  ３１６６−１に従って、ｕｓ（アメリカ合衆国）、ｊｐ（日本）、ｕｋ（イギリス）、ｄｅ（ドイツ連邦共和国）、ｋｒ（大韓民国）のように表わされる。
【０１３４】
組織コード２４８は、ユーザが属する組織を表す文字列である。国コード２４７と組織コード２４８とを組み合わせることにより、ユーザが属する組織をワールドワイドに特定することが出来る。なお、組織コード２４８をＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）  Ｒｅｇｉｓｔｒａｔｉｏｎ  Ａｕｔｈｏｒｉｔｙに予め登録しておくことにより、同一国内で組織コード２４８が重複することを避けることが出来る。
【０１３５】
ユーザコード２４９はユーザに割り当てられるコードであり、ユーザが属する組織によって任意にユーザに割り当てられる。
【０１３６】
なお、ユーザデータ２４６は、特定の組織に属さないフリーランサーを識別するための別のフォーマットで構成されていても良い。
【０１３７】
なお、ＡＶエレメントおよびＡＶエレメントが含むユニットデータをグローバルユニークに識別するために基本ＵＭＩＤ２４２およびソースパック２４３が含むデータは一旦決定されたならば、その内容は変更されない。
【０１３８】
リアルタイムメタデータエレメントＲＥｍ（図５Ａ）が付加情報として基本ＵＭＩＤのような識別子を含むことにより、ビデオデータエレメントＶＥｍおよびビデオデータエレメントＶＥｍに関連するオーディオデータエレメントＡＥｍ（図５Ａ）をグローバルユニークに識別することができる。このことにより、ビデオデータエレメントＶＥｍおよびオーディオデータエレメントＡＥｍがネットワーク等を介して世界中の様々なユーザに伝送されて編集された場合でも、ビデオデータエレメントＶＥｍおよびオーディオデータエレメントＡＥｍを識別することが出来る。
【０１３９】
また、リアルタイムメタデータエレメントＲＥｍが、ソースパック２４３を含む拡張ＵＭＩＤ２４１のような識別子を含む場合には、ビデオデータエレメントＶＥｍおよびオーディオデータエレメントＡＥｍに加えてビデオデータエレメントＶＥｍが含むビデオユニ
ットデータＶＵｎ（図３Ａ）をグローバルユニークに識別することが出来る。
【０１４０】
また、リアルタイムメタデータエレメントＲＥｍが拡張ＵＭＩＤ２４１のような識別子を含むことにより、様々な編集作業が容易になる。例えば、ビデオユニットデータＶＵｎの再生中に、表示画面の一部に撮影場所を示す地図を表示させるような編集も、編集装置に世界中の地図データを予め格納しておき、位置データ２４５から特定される位置を示す地図データを編集装置が読み出すことにより容易に行うことが出来る。
【０１４１】
本発明では、ビデオデータエレメントＶＥ１〜ｍ、オーディオデータエレメントＡＥ１〜ｍ等の各エレメントが、情報記録媒体１５０のセクタ境界に配置されている。上述したようにビデオユニットデータＶＵｉと、キーデータＫＶｉと、レングスデータＬＶｉと、フィラデータＦＶｉと、キーデータＫＦｉと、レングスデータＬＦｉとを合計したデータサイズは、情報記録媒体１５０のセクタ単位の整数倍のサイズと等しい。このことにより、ビデオユニットデータＶＵ１〜ｎそれぞれが含むフレームの先頭はセクタ境界に配置されることになる。これにより、ユーザが映像の部分削除を行う場合に、セクタ単位での削除を行うことで実現できるためデータの移動が発生せず、ファイルシステムの管理情報の変更のみで部分削除編集を高速に行うことが出来る。
【０１４２】
また、本発明では、ヘッダ年輪２０４が、補助ＡＶデータエレメントヘッダデータＳＥｈ、リアルタイムメタデータエレメントヘッダデータＲＥｈ、チャネル数分のオーディオデータエレメントヘッダデータＡＥｈ、ビデオデータエレメントヘッダデータＶＥｈを含む。各ヘッダは、記録された時間（ｄｕｒａｔｉｏｎ）のデータを含むため、記録終了時点で内容が確定する。ボディ年輪の記録終了後にヘッダ年輪をボディ年輪とは別の領域に書き込むことで、記録時のシーク動作を減らすことが出来る。また、これら各ヘッダデータをヘッダ年輪２０４に集中的に配列することにより、各ヘッダデータ（特にリアルタイムメタデータエレメントヘッダデータＲＥｈ）の読み出しを高速に行うことができる。
【０１４３】
また、本発明では、オーディオデータエレメントヘッダデータＡＥｈが、オーディオ固有データであるキーデータＫＡおよびレングスデータＬＡを含む。レングスデータはオーディオデータの記録終了時点で確定するため、ヘッダに配置することでシーク動作を減らすことが出来る。第１〜第ｍボディ年輪２０１〜２０２がキーデータＫＡおよびレングスデータＬＡを含まないことにより、キーデータＫＡおよびレングスデータＬＡを解釈することが出来ない再生装置または再生プログラムでも、第１〜第ｍボディ年輪２０１〜２０２に含まれるデータを再生することが出来る。
【０１４４】
なお、ビデオデータ１０１に基づいて、図２Ｂに示すオーディオデータファイル１１２と同様のフォーマットのビデオデータファイルを生成してもよい。このようなビデオデータファイルは、図２Ｂに示すオーディオデータの代わりにビデオデータが配列されたデータファイルとなる。この場合、固有データはビデオデータに関するデータを示す。このビデオデータファイルは、図３Ｂに示すオーディオデータエレメントと同様に複数のビデオデータエレメントに分割され、ボディ年輪に配列される。
【０１４５】
なお、オーディオデータ１０２が、所定のデータ単位で分割された複数のオーディオユニットデータを含んでもよく、図２Ａに示すビデオデータファイル１１１と同様のフォーマットのオーディオデータファイルを生成してもよい。このようなオーディオデータファイルは、図２Ａに示すビデオユニットデータの代わりにオーディオユニットデータが配列されたデータファイルとなる。この場合、固有データはオーディオユニットデータに関するデータを示す。このオーディオデータファイルは、図３Ａに示すビデオデータエレメントと同様に複数のオーディオデータエレメントに分割され、ボディ年輪に配列される。
【０１４６】
図６（ａ）は、第ｊボディ年輪２２１を示す（ｊは１≦ｊ≦ｍを満たす整数）。
第ｊボディ年輪２２１では、リアルタイムメタデータエレメントＲＥｊと４チャネルのオーディオデータエレメントＡＥｊとは、ビデオデータエレメントＶＥｊよりも再生方向において前側に配置されている。図６では説明の簡便化のため、その他のエレメントは省略している。図６（ｂ）に比較のためのボディ年輪２２７を示す。ボディ年輪２２７では、リアルタイムメタデータエレメントＲＥｊと４チャネルのオーディオデータエレメントＡＥｊとは、ビデオデータエレメントＶＥｊよりも再生方向において後ろ側に配置されている。
【０１４７】
第ｊボディ年輪２２１において、データの再生開始（表示開始）は、ピックアップがビデオデータエレメントＶＥｊの先頭からデータの読み出しを開始するときに可能になる。このとき、第ｊボディ年輪２２１内の全てのリアルタイムメタデータエレメントＲＥｊと４チャネルのオーディオデータエレメントＡＥｊが再生装置のバッファメモリに格納されるので、ビデオデータエレメントＶＥｊの先頭からデータの読み出しを開始するときに、リアルタイムメタデータエレメントＲＥｊと４チャネルのオーディオデータエレメントＡＥｊとビデオデータエレメントＶＥｊとを同時に再生することが出来るからである。
【０１４８】
図６（ｂ）に示すボディ年輪２２７では、データの再生開始は、ピックアップが４番目のチャネルのオーディオデータエレメントＡＥｊの先頭からデータの読み出しを開始するときになる。ボディ年輪２２７内のビデオデータエレメントＶＥｊとリアルタイムメタデータエレメントＲＥｊと１〜３番目のチャネルのオーディオデータエレメントＡＥｊとがバッファメモリに格納されなければ、リアルタイムメタデータエレメントＲＥｊと４チャネルのオーディオデータエレメントＡＥｊとビデオデータエレメントＶＥｊとを同時に再生することが出来ないからである。
【０１４９】
例えば、データフォーマットがＤＶフォーマットである場合、年輪内の各エレメントは２秒分のデータを含み、１ＥＣＣブロックを６４ＫＢとして、リアルタイムメタデータエレメントＲＥｊは６ＥＣＣブロック、オーディオデータエレメントＡＥｊは３ＥＣＣブロック、ビデオデータエレメントＶＥｊは１００ＥＣＣブロック程度になる。このように、同じ時間のデータサイズはビデオデータエレメントＶＥｊが一番大きくなるので、リアルタイムメタデータエレメントＲＥｊと４チャネルのオーディオデータエレメントＡＥｊとが、ビデオデータエレメントＶＥｊよりも前側に配置されている方が、データの再生開始時間を早く出来る。このため、ユーザが再生開始を再生装置に指示してから、実際に映像と音声と付加情報とがモニタとスピーカとから出力されるまでの時間を短く出来る。
【０１５０】
図７は、複数のボディ年輪（第ｊボディ年輪２２１、第ｊ＋１ボディ年輪２２２、第ｇボディ年輪２２３（ｇはｊ＋１＜ｇ≦ｍを満たす整数））から、補助ＡＶデータエレメントＳＥｊとリアルタイムメタデータエレメントＲＥｊとを読み出すためのピックアップのアクセス手順を示す。図７では説明の簡便化のため、一部のエレメントは省略している。
【０１５１】
情報記録媒体１５０に記録されたオーディオデータエレメントＡＥｊとビデオデータエレメントＶＥｊとを高速でサーチする場合には、オーディオデータエレメントＡＥｊおよびビデオデータエレメントＶＥｊを再生するのではなく、補助ＡＶデータエレメントＳＥｊが再生される。補助ＡＶデータエレメントＳＥｊは圧縮率がビデオデータエレメントＶＥｊよりも高いため、高速に情報記録媒体１５０から読み出せるからである。高速サーチを行う場合、映像に加えて、リアルタイムメタデータエレメントＲＥｊが含むタイムコードやＵＭＩＤを画面に表示することで、所定のシーンを検出しやすいようにしている。このため、補助ＡＶデータエレメントＳＥｊとリアルタイムメタデータエレメントＲＥｊとを隣接して配置して記録することで、補助ＡＶデータエレメントＳＥｊとリアルタイムメタデータエレメントＲＥｊとの間でのピックアップのスキップを伴うアクセスが無くなり
、補助ＡＶデータエレメントＳＥｊとリアルタイムメタデータエレメントＲＥｊとを情報記録媒体１５０から高速に読み出すことが出来る。
【０１５２】
なお、補助ＡＶデータエレメントＳＥｊが高圧縮オーディオデータを含む場合には、高速サーチ時にオーディオ出力を聞きながら所定のシーンを検出することが出来るようになる。
【０１５３】
図８は、高速サーチからのデータの再生開始手順を説明する図である。
【０１５４】
図８（ａ）は、第ｊボディ年輪２２１、第ｊ＋１ボディ年輪２２２、第ｇボディ年輪２２３を示す。図８では説明の簡便化のため、一部のエレメントは省略している。第ｊ〜第ｇボディ年輪２２１〜２２３では、補助ＡＶデータエレメントＳＥｊ〜ｇのそれぞれはビデオデータエレメントＶＥｊ〜ｇよりも再生方向において前に配置されている。図８（ｂ）に比較のためのボディ年輪２２４〜２２６を示す。ボディ年輪２２４〜２２６では、補助ＡＶデータエレメントＳＥｊ〜ｇのそれぞれはビデオデータエレメントＶＥｊ〜ｇよりも再生方向において後ろに配置されている。
【０１５５】
図８（ａ）を参照して、第ｊボディ年輪２２１内での補助ＡＶデータエレメントＳＥｊを用いた高速サーチにおいて、ユーザが特定のシーンを指定した時刻において、ピックアップは通常先読みしているので、そのシーンを示す補助ＡＶデータエレメントＳＥｊよりも先にアクセスしている。ユーザが指定した映像を本編のビデオデータエレメントＶＥｊから読み出すために、ピックアップは、ビデオデータエレメントＶＥｊにアクセスする。なお、補助ＡＶデータエレメントＳＥｊが高圧縮オーディオデータを含む場合には、高速サーチ時にオーディオ出力を聞きながら所定のシーンを検出することが出来る。また、リアルタイムメタデータエレメントＲＥｊを含むことで、高速サーチ時にメタデータも出力できる。このため、ビデオデータばかりではなく、オーディオデータもメタデータも出力する場合は、リアルタイムメタデータエレメントＲＥｊにもアクセスする。
【０１５６】
図８（ｂ）を参照して、ユーザが特定のシーンを指定した時刻において、ピックアップがユーザが指定した画像に対応するビデオデータエレメントＶＥｊにアクセスするためには、図８（ａ）に示す距離よりも長い距離をアクセスする必要がある。なぜならば、図８（ｂ）では、補助ＡＶデータエレメントＳＥｊよりも前に、必要なデータが記録されているからである。
【０１５７】
図８（ａ）に示すように、ボディ年輪内において補助ＡＶデータエレメントＳＥｊを先頭に配置しておくことで、高速サーチからの本編のビデオデータの出画を早くすることが出来る。
【０１５８】
図９は、データファイルをマークの前後のＥＣＣブロック境界でエレメントに分割した場合に、その境界付近のデータがどのボディ年輪に含まれるかを説明する図である。
【０１５９】
図９に示すデータＡは補助ＡＶデータエレメントＳＥｊ、ＳＥｊ＋１を表し、データＢ、ＣはそれぞれビデオデータエレメントＶＥｊ、ＶＥｊ＋１を表す。
【０１６０】
データＢはビデオデータファイル１１１を、マーク位置より前の位置であって、マーク位置から情報記録媒体１５０のＥＣＣブロック単位の整数倍のデータサイズ分離れた位置で分割した場合のデータ構成を示す。
【０１６１】
データＣはビデオデータファイル１１１を、マーク位置より後ろの位置であって、マーク位置から情報記録媒体１５０のＥＣＣブロック単位の整数倍のデータサイズ分離れた位
置で分割した場合のデータ構成を示す。
【０１６２】
このような分割処理は、分割部１２０（図１）が行う。分割部１２０はビデオデータファイル１１１のうちの補助ＡＶデータエレメントＳＥｊ＋１の先頭に対応する位置を特定するために、上記対応する位置にマークを付す。各補助ＡＶデータエレメントは、年輪フォーマットの基準年輪期間を基準としてＭＸＦファイルボディ１８２（図２Ｃ）を分割することにより得られている。分割部１２０はビデオデータファイル１１１のうちの補助ＡＶデータエレメントＳＥｊ＋１の先頭位置（基準年輪期間の先頭位置）に対応する位置にマークを付す。
【０１６３】
各ビデオデータエレメントは、年輪フォーマットの基準年輪期間を基準としてＭＸＦファイルボディ１６２（図２Ａ）を分割することにより得られる。図９に示す分割動作においても、ビデオデータファイル１１１は基準年輪期間を基準として分割される。ビデオデータファイル１１１の分割位置であるビデオデータエレメントの開始バイト位置ＶＥＳＢＰ（ｉ）は、ＶＥＳＢＰ（ｉ）＝ｉｎｔ［｛ＰＶＥ（ｉ×Ｎａ）｝／６５５３６］×６５５３６で求められる。ここで、ＰＶＥ（ｘ）は、ＭＸＦファイルボディの先頭からのバイト位置であり、フレーム番号ｘのフレームデータの開始位置である（ｘ＝１、２、３、・・・）。ｉは、各ボディ年輪に割り当てられるシリアル番号である（ｉ＝１、２、３、・・・）。Ｎａは、１基準年輪期間あたりのフレーム数である。ビデオデータファイル１１１は、分割されたビデオデータエレメントのサイズが６５５３６バイトの整数倍となるように分割される。
【０１６４】
データＢについて説明すると、分割部１２０は、ビデオデータファイル１１１を分割するとき、補助ＡＶデータエレメントＳＥｊの終端部に対応するビデオデータ２３１がビデオデータエレメントＶＥｊ＋１の前半部に含まれるように分割する。
【０１６５】
データＣについて説明すると、分割部１２０は、ビデオデータファイル１１１を分割するとき、補助ＡＶデータエレメントＳＥｊ＋１の先頭部に対応するビデオデータ２３２がビデオデータエレメントＶＥｊの後半部に含まれるように分割する。
【０１６６】
図１０（ａ）は、データＢのようにビデオデータファイル１１１が分割された場合の第ｊボディ年輪２２１と第ｊ＋１ボディ年輪２２２へのアクセス動作を説明する図である。補助ＡＶデータエレメントＳＥｊの終端部に対応するビデオデータ２３１がビデオデータエレメントＶＥｊ＋１の前半部に含まれる。データ再生時には、第ｊボディ年輪２２１の補助ＡＶデータエレメントＳＥｊ（ビデオデータ２３１に関連する補助ＡＶデータ２３３を含む）の先頭データが読み出された後、第ｊ＋１ボディ年輪２２２の補助ＡＶデータエレメントＳＥｊ＋１へアクセスして読み出し、さらに、ビデオデータエレメントＶＥｊ＋１にアクセスしてデータを読み出す。
【０１６７】
図１０（ｂ）は、データＣのようにビデオデータファイル１１１が分割された場合の第ｊボディ年輪２２１と第ｊ＋１ボディ年輪２２２へのアクセス動作を説明する図である。補助ＡＶデータエレメントＳＥｊ＋１の先頭部に対応するビデオデータ２３２がビデオデータエレメントＶＥｊの後半部に含まれる。データ再生時には、第ｊボディ年輪２２１の補助ＡＶデータエレメントＳＥｊを読み出してから、第ｊ＋１ボディ年輪２２２の補助ＡＶデータエレメントＳＥｊ＋１（ビデオデータ２３２に関連する補助ＡＶデータ２３４を含む）にアクセスして読み出した後にビデオデータエレメントＶＥｊにアクセスしてデータを読み出す。
【０１６８】
このように、図１０（ａ）と図１０（ｂ）とに示すピックアップのアクセス動作を比較すると、図１０（ａ）に示すピックアップの移動距離は、図１０（ｂ）に示すピックアッ
プの移動距離よりもはるかに短いことがわかる。このため、補助ＡＶデータエレメントとビデオデータエレメントとを同時に再生する場合は、図９のデータＢに示す分割手順でビデオデータファイル１１１を分割したほうが、アクセス時間が短くなる。なお、補助ＡＶデータエレメントとビデオデータエレメントとを同時に再生することが出来れば、ビデオデータエレメントをモニタに表示しながら、補助ＡＶデータエレメントをネットワーク等を使用して遠隔地の再生装置に送り、ビデオデータエレメントと補助ＡＶデータエレメントとを同期しながら再生することもできる。
【０１６９】
なお、ビデオファイルを分割する場合、マーク位置がＥＣＣブロックの境界と一致する場合は、そのＥＣＣブロックの境界でビデオファイルを分割してもよい。
【０１７０】
図１１は、データファイルをマークの前後のＥＣＣブロック境界でエレメントに分割した場合に、その境界付近のデータがどのボディ年輪に含まれるかを説明する図である。
【０１７１】
図１１に示すデータＡ１は、ビデオデータエレメントＶＥｊ、ＶＥｊ＋１を表し、データＢ１、Ｃ１はそれぞれオーディオデータエレメントＡＥｊ、ＡＥｊ＋１（またはリアルタイムメタデータエレメントＲＥｊ、ＲＥｊ＋１）を表す。
【０１７２】
データＢ１はオーディオデータファイル１１２（またはメタデータファイル１１４）を、マーク位置より前の位置であって、マーク位置から情報記録媒体１５０のＥＣＣブロック単位の整数倍のデータサイズ分離れた位置で分割した場合のデータ構成を示す。
【０１７３】
データＣ１はオーディオデータファイル１１２（またはメタデータファイル１１４）を、マーク位置より後ろの位置であって、マーク位置から情報記録媒体１５０のＥＣＣブロック単位の整数倍のデータサイズ分離れた位置で分割した場合のデータ構成を示す。
【０１７４】
このような分割処理は、分割部１２０（図１）が行う。分割部１２０はオーディオデータファイル１１２（またはメタデータファイル１１４）のうちのビデオデータエレメントＶＥｊ＋１の先頭に対応する位置を特定するために、上記対応する位置にマークを付す。各ビデオデータエレメントは、年輪フォーマットの基準年輪期間を基準としてＭＸＦファイルボディ１６２（図２Ａ）を分割することにより得られている。分割部１２０はオーディオデータファイル１１２（またはメタデータファイル１１４）のうちのビデオデータエレメントＶＥｊ＋１の先頭位置（基準年輪期間の先頭位置）に対応する位置にマークを付す。
【０１７５】
各オーディオデータエレメントは、ビデオエレメントの先頭フレームデータ開始時間を基準としてオーディオデータファイル１１２を分割することにより、得られる。図１１に示す分割動作においても、オーディオデータファイル１１２はビデオエレメントの先頭フレームデータ開始時間を基準として分割される。ビデオエレメントの先頭フレームデータ開始時間ＶＥＳＴ（ｉ）は、ＶＥＳＴ（ｉ）＝ＴＶＥ｛ＶＥＳＢＰ（ｉ）｝から求められる。ここで、ＴＶＥ（ｙ）は、ビデオデータエレメントの開始バイト位置ｙに対応するフレームの開始時間である。
【０１７６】
オーディオデータファイル１１２の分割位置であるオーディオデータエレメントの開始バイト位置ＡＥＳＢＰ（ｉ）は、ＡＥＳＢＰ（ｉ）＝ｉｎｔ［｛ｋ×Ｆｓ×ＶＥＳＴ（ｉ）＋（６５５３６−１）｝／６５５３６］×６５５３６で求められる。ここで、ｋは、１サンプルデータあたりのバイトレングス（例えば、２バイトまたは３バイト）である。Ｆｓはサンプリング周波数（例えば４８ｋＨｚ）である。オーディオデータファイル１１２は、分割されたオーディオデータエレメントのサイズが６５５３６バイトの整数倍となるように分割される。
【０１７７】
各リアルタイムメタデータエレメントは、ビデオエレメントの開始フレームデータを基準として、ＢｉＭファイルボディを有するリアルタイムメタデータファイル１１４を分割することにより得られる。図１１に示す分割動作においても、リアルタイムメタデータファイル１１４はビデオエレメントの開始フレームデータを基準として分割される。
【０１７８】
ビデオエレメントの開始フレームデータのフレーム番号ＶＥＳＦＮ（ｉ）は、ＶＥＳＦＮ（ｉ）＝ＮＶＥ｛ＶＥＳＢＰ（ｉ）｝から求められる。ここで、ＮＶＥ（ｙ）は、ビデオデータエレメントの開始バイト位置ｙに対応するフレームのフレーム番号である。
【０１７９】
リアルタイムメタデータファイル１１４の分割位置であるリアルタイムメタデータエレメントの開始バイト位置ＲＥＳＢＰ（ｉ）は、ＲＥＳＢＰ（ｉ）＝ｉｎｔ［｛６１４４×ＶＥＳＦＮ（ｉ）＋（６５５３６−１）｝／６５５３６］×６５５３６で求められる。リアルタイムメタデータファイル１１４は、分割されたリアルタイムメタデータエレメントのサイズが６５５３６バイトの整数倍となるように分割される。
【０１８０】
データＢ１について説明すると、分割部１２０は、オーディオデータファイル１１２（またはリアルタイムメタデータファイル１１４）を分割するとき、ビデオデータエレメントＶＥｊの終端部のビデオデータ２３５に対応するオーディオデータ（またはリアルタイムメタデータ）２３７がオーディオデータエレメントＡＥｊ＋１（またはリアルタイムメタデータエレメントＲＥｊ＋１）の前半部に含まれるように分割する。
【０１８１】
データＣ１について説明すると、分割部１２０は、オーディオデータファイル１１２（またはリアルタイムメタデータファイル１１４）を分割するとき、ビデオデータエレメントＶＥｊ＋１の先頭部のビデオデータ２３６に対応するオーディオデータ（またはリアルタイムメタデータ）２３８がオーディオデータエレメントＡＥｊ（またはリアルタイムメタデータエレメントＲＥｊ）の後半部に含まれるように分割する。
【０１８２】
図１２（ａ）は、データＢ１のようにオーディオデータファイル１１２およびリアルタイムメタデータファイル１１４が分割された場合の第ｊボディ年輪２２１と第ｊ＋１ボディ年輪２２２へのアクセス動作を説明する図である。ビデオデータエレメントＶＥｊの終端部のビデオデータ２３５に対応するオーディオデータ（またはリアルタイムメタデータ）２３７がオーディオデータエレメントＡＥｊ＋１（またはリアルタイムメタデータエレメントＲＥｊ＋１）の前半部に含まれるように分割されている。
【０１８３】
データ再生時には、第ｊボディ年輪２２１のリアルタイムメタデータエレメントＲＥｊとオーディオデータエレメントＡＥｊとが読み出された後、第ｊ＋１ボディ年輪２２２のリアルタイムメタデータエレメントＲＥｊ＋１とオーディオデータエレメントＡＥｊ＋１とが読み出され、ビデオデータエレメントＶＥｊが読み出される。
【０１８４】
図１０（ｂ）は、データＣ１のようにオーディオデータファイル１１２およびリアルタイムメタデータファイル１１４が分割された場合の第ｊボディ年輪２２１と第ｊ＋１ボディ年輪２２２へのアクセス動作を説明する図である。ビデオデータエレメントＶＥｊ＋１の先頭部のビデオデータ２３６に対応するオーディオデータ（またはリアルタイムメタデータ）２３８がオーディオデータエレメントＡＥｊ（またはリアルタイムメタデータエレメントＲＥｊ）の後半部に含まれるように分割されている。
【０１８５】
データ再生時には、第ｊボディ年輪２２１のリアルタイムメタデータエレメントＲＥｊとオーディオデータエレメントＡＥｊとが読み出された後、第ｊ＋１ボディ年輪２２２のリアルタイムメタデータエレメントＲＥｊ＋１とオーディオデータエレメントＡＥｊ＋１
とが読み出され、ビデオデータエレメントＶＥｊ＋１が読み出される。
【０１８６】
このように、図１２（ａ）と図１２（ｂ）とに示すピックアップのアクセス動作を比較すると、図１２（ｂ）に示すピックアップの移動距離は、図１２（ａ）に示すピックアップの移動距離よりもはるかに短いことがわかる。リアルタイムメタデータエレメントとオーディオデータエレメントとビデオデータエレメントとを同時に再生する場合は、リアルタイムメタデータエレメントとオーディオデータエレメントとが、ビデオデータエレメントよりも前に配列されるように分割したほうが、アクセス時間が短くなる。
【０１８７】
また、ビデオデータファイル、オーディオデータファイル、リアルタイムメタデータファイルをＥＣＣブロック単位で分割することで、ビデオデータファイル、オーディオデータファイル、リアルタイムメタデータファイルに単独で上書き等の編集を加えるときに、他のデータを書き換えることがない。
【０１８８】
また、補助ＡＶデータを基準とした分割ではなく、ビデオデータの分割時間を基準としてオーディオデータファイル、リアルタイムメタデータファイルを分割することにより、本編のビデオデータおよびオーディオデータを任意の点から再生する場合に、ピックアップのアクセス処理を少なくすることが出来る。
【０１８９】
なお、オーディオデータファイルまたはリアルタイムメタデータファイルを分割する場合、マーク位置がＥＣＣブロックの境界と一致する場合には、そのＥＣＣブロックの境界でオーディオデータファイルまたはリアルタイムメタデータファイルを分割してもよい。
【産業上の利用可能性】
【０１９０】
本発明の記録装置、情報記録媒体および記録方法によれば、ビデオユニットデータとビデオ固有データと充填データと充填データ固有データとを足したデータサイズは、情報記録媒体のセクタ単位の整数倍のサイズと等しい。これにより、ユーザが映像の部分削除等の編集を行う場合に、編集すべきフレームに高速にアクセスすることが可能となるので、編集を高速に行うことが出来る。このように、本発明は、ビデオデータおよびオーディオデータを情報記録媒体に記録する記録装置および記録方法、ビデオデータおよびオーディオデータが記録された情報記録媒体等において有用である。
【０１９１】
また本発明の記録装置、情報記録媒体および記録方法によれば、メタデータエレメントとオーディオデータエレメントとは、所定の記録単位内においてビデオデータエレメントよりも前に配列されている。また、メタデータエレメントと補助データエレメントとは、所定の記録単位内において隣接して配列されている。また、補助データエレメントは、メタデータエレメント、オーディオデータエレメントおよびビデオデータエレメントよりも前に配列されている。本発明のこれらのデータ配列により、高速サーチを含む高速な再生動作を行うことが出来る。このように、本発明は、ビデオデータおよびオーディオデータを情報記録媒体に記録する記録装置および記録方法、ビデオデータおよびオーディオデータが記録された情報記録媒体等において有用である。
【図面の簡単な説明】
【０１９２】
【図１】図１は、本発明の実施の形態における記録装置１００を示す図
【図２Ａ】図２Ａは、ビデオデータファイル１１１を示す図
【図２Ｂ】図２Ｂは、オーディオデータファイル１１２を示す図
【図２Ｃ】図２Ｃは、補助ＡＶデータファイル１１３を示す図
【図２Ｄ】図２Ｄは、リアルタイムメタデータファイル１１４を示す図
【図３Ａ】図３Ａは、複数のビデオデータエレメントＶＥ１〜ＶＥｍを示す図
【図３Ｂ】図３Ｂは、複数のオーディオデータエレメントＡＥ１〜ＡＥｍを示す図
【図３Ｃ】図３Ｃは、複数の補助ＡＶデータエレメントＳＥ１〜ＳＥｍを示す図
【図３Ｄ】図３Ｄは、複数のリアルタイムメタデータエレメントＲＥ１〜ＲＥｍを示す図
【図４】図４は、配列部１３０が生成した配列データ１３１を示す図
【図５Ａ】図５Ａは、年輪フォーマットの配列データ１３０が記録された情報記録媒体１５０を示す図
【図５Ｂ】図５Ｂは、再配置領域ＲＡおよびシフト領域ＳＡを示す図
【図５Ｃ】図５Ｃは、拡張ＵＭＩＤ２４１を示す図
【図６】（ａ）は、第ｊボディ年輪２２１を示す図  （ｂ）は、比較のためのボディ年輪２２７を示す図
【図７】図７は、複数のボディ年輪から、補助ＡＶデータエレメントＳＥｊとリアルタイムメタデータエレメントＲＥｊとを読み出すためのピックアップのアクセス手順を示す図
【図８】図８は、高速サーチからのデータの再生開始手順を説明する図
【図９】図９は、データファイルをマークの前後のＥＣＣブロック境界でエレメントに分割した場合に、その境界付近のデータがどのボディ年輪に含まれるかを説明する図
【図１０】図１０は、第ｊボディ年輪２２１と第ｊ＋１ボディ年輪２２２へのアクセス動作を説明する図
【図１１】図１１は、データファイルをマークの前後のＥＣＣブロック境界でエレメントに分割した場合に、その境界付近のデータがどのボディ年輪に含まれるかを説明する図
【図１２】図１２は、第ｊボディ年輪２２１と第ｊ＋１ボディ年輪２２２へのアクセス動作を説明する図
【符号の説明】
【０１９３】
１００  記録装置
１１０  ファイル生成部
１２０  分割部
１３０  配列部
１４０  記録部
１５０  情報記録媒体
【図１】
2006187011.tif 000003
【図２Ａ】
2006187011.tif 000004
【図２Ｂ】
2006187011.tif 000005
【図２Ｃ】
2006187011.tif 000006
【図２Ｄ】
2006187011.tif 000007
【図３Ａ】
2006187011.tif 000008
【図３Ｂ】
2006187011.tif 000009
【図３Ｃ】
2006187011.tif 000010
【図３Ｄ】
2006187011.tif 000011
【図４】
2006187011.tif 000012
【図５Ａ】
2006187011.tif 000013
【図５Ｂ】
2006187011.tif 000014
【図５Ｃ】
2006187011.tif 000015
【図６】
2006187011.tif 000016
【図７】
2006187011.tif 000017
【図８】
2006187011.tif 000018
【図９】
2006187011.tif 000019
【図１０】
2006187011.tif 000020
【図１１】
2006187011.tif 000021
【図１２】
2006187011.tif 000022